(57)【特許請求の範囲】
【請求項１】
ネットワークデバイスから物理ブロードキャストチャネル（ＰＢＣＨ）を受信する段階と、
前記ＰＢＣＨにより保持されるトランスポートブロックを、デスクランブリングにより処理して、前記ＰＢＣＨの情報ビットを取得する段階であって、前記デスクランブリングは、擬似ランダムシーケンスの複数のセグメントのうちの１つのセグメントを用いて実行され、前記擬似ランダムシーケンスの前記複数のセグメントのうちの前記１つのセグメントは、前記ＰＢＣＨが配置される無線システムフレームのシステムフレーム番号の２番目と３番目の最下位ビットのみを暗黙的に示す、段階と、を備え、
前記システムフレーム番号は１０ビットであり、
前記ＰＢＣＨの前記情報ビットは、前記ＰＢＣＨが配置される前記無線システムフレームの前記システムフレーム番号の前記２番目と３番目の最下位ビット以外のビットを含む、通信方法。
【請求項２】
前記擬似ランダムシーケンスの前記セグメントは、前記システムフレーム番号の前記２番目と３番目の最下位ビットに対応する、擬似ランダムシーケンスの４つのセグメントのうちの１つである、請求項１に記載の通信方法。
【請求項３】
前記擬似ランダムシーケンスの前記４つのセグメントは、前記擬似ランダムシーケンスを初期化するための１つの初期化シードに基づく、請求項２に記載の通信方法。
【請求項４】
前記擬似ランダムシーケンスの前記４つのセグメントは、前記擬似ランダムシーケンスの第１のセグメント、前記擬似ランダムシーケンスの第２のセグメント、前記擬似ランダムシーケンスの第３のセグメント、および前記擬似ランダムシーケンスの第４のセグメントを含み、
前記擬似ランダムシーケンスの前記第１のセグメントによって暗黙的に示される前記２番目と３番目の最下位ビットは００であり、前記擬似ランダムシーケンスの前記第２のセグメントによって暗黙的に示される前記２番目と３番目の最下位ビットは０１であり、前記擬似ランダムシーケンスの前記第３のセグメントによって暗黙的に示される前記２番目と３番目の最下位ビットは１０であり、前記擬似ランダムシーケンスの前記第４のセグメントによって暗黙的に示される前記２番目と３番目の最下位ビットは１１である、請求項２または３に記載の通信方法。
【請求項５】
前記システムフレーム番号に対応する前記ＰＢＣＨは、前記無線システムフレームの第１のハーフフレームおよび／または第２のハーフフレームで受信される、請求項１から４のいずれか一項に記載の通信方法。
【請求項６】
前記ＰＢＣＨが受信される前記第１のハーフフレームまたは前記第２のハーフフレームは、復調参照信号（ＤＭＲＳ）シーケンスを用いて示される、請求項５に記載の通信方法。
【請求項７】
前記ＰＢＣＨが受信される前記第１のハーフフレームまたは前記第２のハーフフレームは、前記ＰＢＣＨの前記情報ビットにおける１ビットで示される、請求項５または６に記載の通信方法。
【請求項８】
前記ＰＢＣＨは、同期信号ブロック内に含まれる、請求項１から７のいずれか一項に記載の通信方法。
【請求項９】
前記ＰＢＣＨの前記情報ビットは、マスタ情報ブロック（ＭＩＢ）の情報ビットを含む、請求項１から８のいずれか一項に記載の通信方法。
【請求項１０】
前記ＰＢＣＨにより保持されるトランスポートブロックを、デスクランブリングにより処理して、前記ＰＢＣＨの情報ビットを取得する前記段階は、
前記ＰＢＣＨにより保持される前記トランスポートブロックをデコーディングして、前記ＰＢＣＨの前記情報ビットおよび巡回冗長検査（ＣＲＣ）ビットを取得する段階を含む、請求項１に記載の通信方法。
【請求項１１】
ネットワークデバイスから物理ブロードキャストチャネル（ＰＢＣＨ）を受信するよう構成された送受信機と、
前記ＰＢＣＨによって保持されるトランスポートブロックをデスクランブリングにより処理して、前記ＰＢＣＨの情報ビットを取得するよう構成されたプロセッサであって、前記デスクランブリングは、擬似ランダムシーケンスの複数のセグメントのうちの１つのセグメントを用いて実行され、前記擬似ランダムシーケンスの前記複数のセグメントのうちの前記１つのセグメントは、前記ＰＢＣＨが配置される無線システムフレームのシステムフレーム番号のうちの２番目と３番目の最下位ビットのみを暗黙的に示す、プロセッサと、を備え、
前記システムフレーム番号は１０ビットであり、
前記ＰＢＣＨの前記情報ビットは、前記ＰＢＣＨが配置される前記無線システムフレームの前記システムフレーム番号の前記２番目と３番目の最下位ビット以外のビットを含む、装置。
【請求項１２】
前記擬似ランダムシーケンスの前記セグメントは、前記システムフレーム番号のうちの前記２番目と前記３番目の最下位ビットに対応する、擬似ランダムシーケンスの４つのセグメントのうちの１つである、請求項１１に記載の装置。
【請求項１３】
前記擬似ランダムシーケンスの前記４つのセグメントは、前記擬似ランダムシーケンスを初期化するための１つの初期化シードに基づく、請求項１２に記載の装置。
【請求項１４】
前記擬似ランダムシーケンスの前記４つのセグメントは、前記擬似ランダムシーケンスの第１のセグメント、前記擬似ランダムシーケンスの第２のセグメント、前記擬似ランダムシーケンスの第３のセグメントおよび前記擬似ランダムシーケンスの第４のセグメントを含み、
前記擬似ランダムシーケンスの前記第１のセグメントによって暗黙的に示される前記２番目と３番目の最下位ビットは００であり、前記擬似ランダムシーケンスの前記第２のセグメントによって暗黙的に示される前記２番目と３番目の最下位ビットは０１であり、前記擬似ランダムシーケンスの前記第３のセグメントによって暗黙的に示される前記２番目と３番目の最下位ビットは１０であり、前記擬似ランダムシーケンスの前記第４のセグメントによって暗黙的に示される前記２番目と３番目の最下位ビットは１１である、請求項１２または１３に記載の装置。
【請求項１５】
前記システムフレーム番号に対応する前記ＰＢＣＨは、前記無線システムフレームの第１のハーフフレームおよび／または第２のハーフフレームで受信される、請求項１１から１４のいずれか一項に記載の装置。
【請求項１６】
前記ＰＢＣＨが受信される前記第１のハーフフレームまたは前記第２のハーフフレームは、復調参照信号（ＤＭＲＳ）シーケンスを用いて示される、請求項１５に記載の装置。
【請求項１７】
前記ＰＢＣＨが受信される前記第１のハーフフレームまたは前記第２のハーフフレームは、前記ＰＢＣＨの前記情報ビットにおける１ビットで示される、請求項１５または１６に記載の装置。
【請求項１８】
前記ＰＢＣＨは、同期信号ブロック内に含まれる、請求項１１から１７のいずれか一項に記載の装置。
【請求項１９】
前記ＰＢＣＨの前記情報ビットは、マスタ情報ブロック（ＭＩＢ）の情報ビットを含む、請求項１１から１８のいずれか一項に記載の装置。
【請求項２０】
前記プロセッサは、前記ＰＢＣＨにより保持される前記トランスポートブロックをデコーディングして、前記ＰＢＣＨの前記情報ビットおよび巡回冗長検査（ＣＲＣ）ビットを取得するようさらに構成される、請求項１１に記載の装置。
【請求項２１】
擬似ランダムシーケンスの複数のセグメントのうちの１つのセグメントを用いて、物理ブロードキャストチャネル（ＰＢＣＨ）の情報ビットをスクランブリングして、トランスポートブロックを取得する段階であって、前記擬似ランダムシーケンスの前記複数のセグメントのうちの前記１つのセグメントは、前記ＰＢＣＨが配置される無線システムフレームのシステムフレーム番号の２番目と３番目の最下位ビットのみを暗黙的に示す、段階と、
前記ＰＢＣＨを用いて前記トランスポートブロックを送信する段階と、を備え、
前記システムフレーム番号は１０ビットであり、
前記ＰＢＣＨの前記情報ビットは、前記ＰＢＣＨが配置される前記無線システムフレームの前記システムフレーム番号の前記２番目と３番目の最下位ビット以外のビットを含む、通信方法。
【請求項２２】
前記擬似ランダムシーケンスの前記セグメントは、前記システムフレーム番号の前記２番目と３番目の最下位ビットに対応する、擬似ランダムシーケンスの４つのセグメントのうちの１つである、請求項２１に記載の通信方法。
【請求項２３】
前記擬似ランダムシーケンスの前記４つのセグメントは、前記擬似ランダムシーケンスを初期化するための１つの初期化シードに基づく、請求項２２に記載の通信方法。
【請求項２４】
前記擬似ランダムシーケンスの前記４つのセグメントは、前記擬似ランダムシーケンスの第１のセグメント、前記擬似ランダムシーケンスの第２のセグメント、前記擬似ランダムシーケンスの第３のセグメント、および前記擬似ランダムシーケンスの第４のセグメントを含み、
前記擬似ランダムシーケンスの前記第１のセグメントによって暗黙的に示される前記２番目と３番目の最下位ビットは００であり、前記擬似ランダムシーケンスの前記第２のセグメントによって暗黙的に示される前記２番目と３番目の最下位ビットは０１であり、前記擬似ランダムシーケンスの前記第３のセグメントによって暗黙的に示される前記２番目と３番目の最下位ビットは１０であり、前記擬似ランダムシーケンスの前記第４のセグメントによって暗黙的に示される前記２番目と３番目の最下位ビットは１１である、請求項２２に記載の通信方法。
【請求項２５】
前記システムフレーム番号に対応する前記ＰＢＣＨは、前記無線システムフレームの第１のハーフフレームおよび／または第２のハーフフレームで送信される、請求項２１に記載の通信方法。
【請求項２６】
前記ＰＢＣＨが送信される前記第１のハーフフレームまたは前記第２のハーフフレームは、復調参照信号（ＤＭＲＳ）シーケンスを用いて示される、請求項２５に記載の通信方法。
【請求項２７】
前記ＰＢＣＨが送信される前記第１のハーフフレームまたは前記第２のハーフフレームは、前記ＰＢＣＨの前記情報ビットにおける１ビットで示される、請求項２５に記載の通信方法。
【請求項２８】
前記ＰＢＣＨは、同期信号ブロック内に含まれる、請求項２１に記載の通信方法。
【請求項２９】
前記ＰＢＣＨの前記情報ビットは、マスタ情報ブロック（ＭＩＢ）の情報ビットを含む、請求項２１に記載の通信方法。
【請求項３０】
擬似ランダムシーケンスの複数のセグメントのうちの１つのセグメントを用いて、物理ブロードキャストチャネル（ＰＢＣＨ）の情報ビットをスクランブリングして、トランスポートブロックを取得するよう構成されたプロセッサであって、前記擬似ランダムシーケンスの前記複数のセグメントのうちの前記１つのセグメントは、前記ＰＢＣＨが配置される無線システムフレームのシステムフレーム番号の２番目と３番目の最下位ビットのみを暗黙的に示す、プロセッサと、
前記ＰＢＣＨを用いて前記トランスポートブロックを送信するよう構成された送受信機と、を備え、
前記システムフレーム番号は１０ビットであり、
前記ＰＢＣＨの前記情報ビットは、前記ＰＢＣＨが配置される前記無線システムフレームの前記システムフレーム番号の前記２番目と３番目の最下位ビット以外のビットを含む、通信装置。
【請求項３１】
前記擬似ランダムシーケンスの前記セグメントは、前記システムフレーム番号の前記２番目と３番目の最下位ビットに対応する、擬似ランダムシーケンスの４つのセグメントのうちの１つである、請求項３０に記載の通信装置。
【請求項３２】
前記擬似ランダムシーケンスの前記４つのセグメントは、前記擬似ランダムシーケンスを初期化するための１つの初期化シードに基づく、請求項３１に記載の通信装置。
【請求項３３】
前記擬似ランダムシーケンスの前記４つのセグメントは、前記擬似ランダムシーケンスの第１のセグメント、前記擬似ランダムシーケンスの第２のセグメント、前記擬似ランダムシーケンスの第３のセグメント、および前記擬似ランダムシーケンスの第４のセグメントを含み、
前記擬似ランダムシーケンスの前記第１のセグメントによって暗黙的に示される前記２番目と３番目の最下位ビットは００であり、前記擬似ランダムシーケンスの前記第２のセグメントによって暗黙的に示される前記２番目と３番目の最下位ビットは０１であり、前記擬似ランダムシーケンスの前記第３のセグメントによって暗黙的に示される前記２番目と３番目の最下位ビットは１０であり、前記擬似ランダムシーケンスの前記第４のセグメントによって暗黙的に示される前記２番目と３番目の最下位ビットは１１である、請求項３１に記載の通信装置。
【請求項３４】
前記システムフレーム番号に対応する前記ＰＢＣＨは、前記無線システムフレームの第１のハーフフレームおよび／または第２のハーフフレームで送信される、請求項３０に記載の通信装置。
【請求項３５】
前記ＰＢＣＨが送信される前記第１のハーフフレームまたは前記第２のハーフフレームは、復調参照信号（ＤＭＲＳ）シーケンスを用いて示される、請求項３４に記載の通信装置。
【請求項３６】
前記ＰＢＣＨが送信される前記第１のハーフフレームまたは前記第２のハーフフレームは、前記ＰＢＣＨの前記情報ビットにおける１ビットで示される、請求項３４に記載の通信装置。
【請求項３７】
前記ＰＢＣＨは、同期信号ブロック内に含まれる、請求項３０に記載の通信装置。
【請求項３８】
前記ＰＢＣＨの前記情報ビットは、マスタ情報ブロック（ＭＩＢ）の情報ビットを含む、請求項３０に記載の通信装置。
【請求項３９】
コンピュータプログラムを格納するメモリと、
前記コンピュータプログラムを実行して、通信装置に、請求項１から１０のいずれか一項に記載の通信方法を実行させるよう構成されたプロセッサと、を備える、通信装置。
【請求項４０】
コンピュータプログラムを格納するコンピュータ可読記憶媒体であって、前記コンピュータプログラムが実行されると、請求項１から１０のいずれか一項に記載の通信方法が実行される、コンピュータ可読記憶媒体。
【請求項４１】
メモリのコンピュータプログラムを実行して、請求項１から１０のいずれか一項に記載の通信方法が実行されるようにする、よう構成されている、プロセッサを備える、通信装置。
【請求項４２】
コンピュータに、請求項１から１０のいずれか一項に記載の通信方法を実行させるための、コンピュータプログラム。
【請求項４３】
コンピュータプログラムを格納するメモリと、
前記コンピュータプログラムを実行して、通信装置に、請求項２１から２９のいずれか一項に記載の通信方法を実行させるよう構成されたプロセッサと、を備える、通信装置。
【請求項４４】
コンピュータプログラムを格納するコンピュータ可読記憶媒体であって、前記コンピュータプログラムが実行されると、請求項２１から２９のいずれか一項に記載の通信方法が実行される、コンピュータ可読記憶媒体。
【請求項４５】
メモリのコンピュータプログラムを実行して、請求項２１から２９のいずれか一項に記載の通信方法が実行されるようにする、よう構成されている、プロセッサを備える、通信装置。
【請求項４６】
コンピュータに、請求項２１から２９のいずれか一項に記載の通信方法を実行させるための、コンピュータプログラム。
【発明の詳細な説明】
【技術分野】
【０００１】
本願は、２０１７年５月５日に中国特許庁に出願された、発明の名称「通信方法および通信装置」である中国特許出願第２０１７１０３１４１１０．９号に基づく優先権を主張し、当該出願は、参照により本明細書にその全体が援用される。
【０００２】
本願は、通信分野に関し、より具体的には、通信分野における通信方法および通信装置に関する。
【背景技術】
【０００３】
モバイルサービスの継続的な進展に伴い、人々は、無線通信の送信レートに対しより高い要求を有している。ロングタームエボリューション（Long Term Evolution, LTE）通信システムにおいては、ユーザ機器（user equipment, UE）は、ネットワークデバイスにおいて正しく動作するために、ネットワークデバイスの構成のされ方を知るべく、ネットワークデバイスにアクセスする前に、ネットワークデバイスのシステム情報（system information, SI）を取得する必要がある。
【０００４】
ＬＴＥにおいては、ネットワークデバイスは、ブロードキャストチャネル（例：physical broadcast channel, PBCH）を用いて、そのネットワークデバイスのカバレッジ内のすべてのＵＥに対し、マスタ情報ブロック（master information block, MIB）を送信する。ＭＩＢ情報は、１０ビットから成るシステムフレーム番号(system frame number, SFN)のうちの最上位８ビットを含み、当該最上位８ビットは、ＵＥとネットワークデバイスとの間のタイムアライメントを実行するために用いられる。ＬＴＥ通信システムでは、ＰＢＣＨの送信時間間隔（transmission time interval, TTI）は４０ｍｓであり、ＰＢＣＨの周期は１０ｍｓであり、基地局は、各ＰＢＣＨのＴＴＩで、ＰＢＣＨを４回繰り返し送信する。
【０００５】
しかしながら、新無線（new radio, NR）通信システムでは、同期信号（synchronous signal, SS）は、プライマリ同期信号（primary synchronous signal, PSS）およびセカンダリ同期信号（secondary synchronous signal, SSS）を含む。プライマリ同期信号およびセカンダリ同期信号並びにＰＢＣＨは、同期信号ブロック（SS block）を構成する。少なくとも１つのＳＳブロックは、１つのＳＳバーストを構成し、少なくとも１つのＳＳバーストは、１つのＳＳバーストセットを構成する。
【０００６】
ＮＲ通信システムにおいて、ＰＢＣＨのＴＴＩは８０ｍｓであるので、ＳＳバーストセットは複数の異なる周期を有する。例えば、ＳＳバーストセットの周期は、５ｍｓ、１０ｍｓ、２０ｍｓ、４０ｍｓ、８０ｍｓまたは１６０ｍｓであってよい。現在、ＳＳバーストセットの異なる周期において、ＰＢＣＨを用いてＳＦＮを送信する統一された方法はまだ存在しない。
【発明の概要】
【０００７】
本願は、ＳＳバーストセットの異なる周期において、ＰＢＣＨを用いてＳＦＮを送信できる通信方法および通信装置を提供する。
【０００８】
第１の態様により、本願は、通信方法を提供し、方法は、
送信されるべき第１のＰＢＣＨが配置された無線システムフレームのシステムフレーム番号を決定する段階であって、第１のＰＢＣＨは第１の同期信号バーストセット（ＳＳ  ｂｕｒｓｔ  ｓｅｔ）に含まれ、第１のＳＳバーストセットの周期は、複数の周期のうちの１つである、段階と、
第１の処理方式で第１のマスタ情報ブロック（ＭＩＢ）を処理して、第１のトランスポートブロックを取得する段階であって、第１の処理方式は、第１のＰＢＣＨが配置された無線システムフレームのシステムフレーム番号のうちの一部のビットを示すために用いられ、第１のＭＩＢは、第１のＰＢＣＨが配置された無線システムフレームのシステムフレーム番号のうちの当該一部のビット以外の残りのビットを含む、段階と、
第１のＰＢＣＨが配置された無線システムフレームで、第１のＰＢＣＨを用いて第１のトランスポートブロックを送信する段階と、を備える。
【０００９】
随意で、第１の処理方式は、第１のＰＢＣＨが配置される無線システムフレームのシステムフレーム番号のうちの一部のビットを示すために用いられることは、第１の処理方式が、第１のＰＢＣＨが配置される無線システムフレームのシステムフレーム番号のうちの一部のビットを暗黙的な態様で示すために用いられることであると理解されてよく、または、第１の処理方式が、第１のＰＢＣＨが配置される無線システムフレームのシステムフレーム番号のうちの一部のビットを暗黙的に示すために用いられることであると理解されてよい。このことは、本願のこの実施形態において限定されるものではない。
【００１０】
本願は、ＳＳバーストセットの異なる周期において、ＰＢＣＨを用いてＳＦＮを送信できる通信方法および通信装置を提供する。
【００１１】
可能な実装において、第１のＰＢＣＨは、第１の送信時間間隔（ＴＴＩ）で送信され、第１のＳＳバーストセットの周期は、第１のＴＴＩにおける複数の周期のうちの第１の周期であり、通信方法は、さらに、第２のＴＴＩにおいて、送信されるべき第２のＰＢＣＨが配置される無線システムフレームのシステムフレーム番号を決定する段階であって、第２のＰＢＣＨは、第２のＳＳバーストセット内に含まれ、第２のＳＳバーストセットの周期は、複数の周期のうちの第２の周期である、段階と、第１の処理方式で第２のＭＩＢを処理して、第２のトランスポートブロックを取得する段階であって、第１の処理方式は、第２のＰＢＣＨが配置される無線システムフレームのシステムフレーム番号のうちの一部のビットを示すために用いられ、第２のＭＩＢは、第２のＰＢＣＨが配置される無線システムフレームのシステムフレーム番号のうちの一部のビット以外の残りのビットを含む、段階と、第２のＰＢＣＨが配置される無線システムフレームで、第２のＰＢＣＨを用いて、第２のトランスポートブロックを送信する段階と、を備える。
【００１２】
随意で、第１の処理方式は、さらに、第１のＰＢＣＨが配置される無線システムフレームのシステムフレーム番号のうちの一部のビットを示すために用いられる。
【００１３】
可能な実装において、方法は、さらに、第３のＴＴＩにおいて送信されるべき第３のＰＢＣＨが配置される無線システムフレームのシステムフレーム番号を決定する段階であって、第３のＰＢＣＨは、第３のＳＳバーストセットに含まれ、第３のＳＳバーストセットの周期は、複数の周期のうちの第３の周期である、段階と、第１の処理方式で第３のＭＩＢを処理して、第３のトランスポートブロックを取得する段階であって、第１の処理方式は、第３のＰＢＣＨが配置される無線システムフレームのシステムフレーム番号のうちの一部のビットを示すために用いられ、第３のＭＩＢは、第３のＰＢＣＨが配置される無線システムフレームのシステムフレーム番号のうちの一部のビット以外の残りのビットを含む、段階と、第３のＰＢＣＨが配置された無線システムフレームで、第３のＰＢＣＨを用いて第３のトランスポートブロックを送信する段階と、を備える。
【００１４】
可能な実装において、方法は、さらに、第４のＴＴＩにおいて送信されるべき第４のＰＢＣＨが配置される無線システムフレームのシステムフレーム番号を決定する段階であって、第４のＰＢＣＨは、第４のＳＳバーストセットに含まれ、第４のＳＳバーストセットの周期は、複数の周期のうちの第４の周期である、段階と、第１の処理方式で第４のＭＩＢを処理して、第４のトランスポートブロックを取得する段階であって、第１の処理方式は、第４のＰＢＣＨが配置される無線システムフレームのシステムフレーム番号のうちの一部のビットを示すために用いられ、第４のＭＩＢは、第４のＰＢＣＨが配置される無線システムフレームのシステムフレーム番号のうちの一部のビット以外の残りのビットを含む、段階と、第４のＰＢＣＨが配置される無線システムフレームで、第４のＰＢＣＨを用いて第４のトランスポートブロックを送信する段階と、を備える。
【００１５】
可能な実装において、方法は、さらに、第５のＴＴＩにおいて送信されるべき第５のＰＢＣＨが配置される無線システムフレームのシステムフレーム番号を決定する段階であって、第５のＰＢＣＨは、第５のＳＳバーストセットに含まれ、第５のＳＳバーストセットの周期は、複数の周期のうちの第５の周期である、段階と、第１の処理方式で第５のＭＩＢを処理して、第５のトランスポートブロックを取得する段階であって、第１の処理方式は、第５のＰＢＣＨが配置される無線システムフレームのシステムフレーム番号のうちの一部のビットを示すために用いられ、第５のＭＩＢは、第５のＰＢＣＨが配置される無線システムフレームのシステムフレーム番号のうちの一部のビット以外の残りのビットを含む、段階と、第５のＰＢＣＨが配置される無線システムフレームで、第５のＰＢＣＨを用いて第５のトランスポートブロックを送信する段階と、を備える。
【００１６】
可能な実装において、方法は、さらに、第６のＴＴＩにおいて送信されるべき第６のＰＢＣＨが配置される無線システムフレームのシステムフレーム番号を決定する段階であって、第６のＰＢＣＨは、第６のＳＳバーストセットに含まれ、第６のＳＳバーストセットの周期は、複数の周期のうちの第６の周期である、段階と、第１の処理方式で第６のＭＩＢを処理して、第６のトランスポートブロックを取得する段階であって、第１の処理方式は、第６のＰＢＣＨが配置される無線システムフレームのシステムフレーム番号のうちの一部のビットを示すために用いられ、第６のＭＩＢは、第６のＰＢＣＨが配置される無線システムフレームのシステムフレーム番号のうちの一部のビット以外の残りのビットを含む、段階と、第６のＰＢＣＨが配置される無線システムフレームで、第６のＰＢＣＨを用いて第６のトランスポートブロックを送信する段階と、を備える。
【００１７】
本願のこの実施形態で提供される通信方法において、基地局は、ＳＳバーストセットの２または２より多い異なる周期において、ＳＳバーストセットの周期ごとに対応するＳＦＮ送信方法を必要とせず、第１のＭＩＢを用いて、システムフレーム番号のうちの残りのビットを送信し、第１のＭＩＢを処理するために用いられる第１の処理方式は、システムフレーム番号のうちの一部のビットを暗黙的に示す。従って、基地局とＵＥにおける計算の複雑さが低減可能であり、ＵＥによるＳＦＮを検出する複雑さが低減される。
【００１８】
可能な実装において、一部のビットは、２番目の最下位ビット（例えば、２番目の最下位ビット）および３番目の最下位ビット（例えば、３番目の最下位ビット）を含む。
【００１９】
可能な実装において、一部のビットは、最下位３ビット（例えば、最下位３ビット）を含む。
【００２０】
可能な実装において、第１の処理方式は、巡回冗長検査（ＣＲＣ）、巡回シフトおよびスクランブリングのうちの少なくとも１つを含む。
【００２１】
本願の第２の態様により、本願は、通信方法を提供し、方法は、
ネットワークデバイスにより、ＰＢＣＨを用いて送信されるトランスポートブロックを取得する段階であって、ＰＢＣＨは、同期信号バーストセット（ＳＳ  ｂｕｒｓｔ  ｓｅｔ）内に含まれ、ＳＳバーストセットの周期は、複数の周期のうちの１つである、段階と、
第１の処理方式でトランスポートブロックを処理して、マスタ情報ブロック（ＭＩＢ）を取得し、且つ、当該処理方式で、ＰＢＣＨが配置された無線システムフレームのシステムフレーム番号のうちの一部のビットの位置および当該一部のビットの位置におけるビット（以下、一部のビットという）を取得する、段階であって、ＭＩＢは、ＰＢＣＨが配置された無線システムフレームのシステムフレーム番号のうちの当該一部のビット以外の残りのビットを含む、段階と、
一部のビットおよび残りのビットに基づき、ＰＢＣＨが配置された無線システムフレームのシステムフレーム番号を決定する段階と、を備える。
【００２２】
本願のこの実施形態で提供される通信方法において、基地局は、２または２より多いＳＳバーストセットの異なる期間において、ＳＳバーストセットの周期ごとに対応するＳＦＮ送信方法を必要とせず、トランスポートブロックに対するブラインド検出の処理方式で、一部のビットの位置および一部のビットの位置におけるビットを取得する。ＭＩＢは、また、当該処理方式で取得され、ＭＩＢは、残りのビットを含む。当該一部のビットおよび残りのビットに基づき、ＰＢＣＨが配置された無線システムフレームのシステムフレーム番号が、次に取得される。従って、基地局およびＵＥの計算の複雑さが低減可能であり、ＵＥによるＳＦＮの検出の複雑さが低減される。
【００２３】
可能な実装において、一部のビットは、２番目と３番目の最下位ビットを含む。
【００２４】
可能な実装において、一部のビットは、最下位３ビットを含む。
【００２５】
可能な実装において、処理方式は、巡回冗長検査（ＣＲＣ）、巡回シフトおよびデスクランブリングのうちの少なくとも１つを含む。
【００２６】
第３の態様により、本願は、データ送信のための通信装置を提供し、当該通信装置は、第１の態様または第１の態様に係る任意の可能な実装による方法を実行するよう構成される。
【００２７】
第４の態様により、本願は、データ送信のための通信装置を提供し、当該通信装置は、第２の態様または第２の態様に係る任意の可能な実装による方法を実行するよう構成される。
【００２８】
第５の態様により、本願は、データ送信のための通信装置を提供し、通信装置は、メモリと、プロセッサと、送受信機と、コンピュータプログラムとを含み、当該コンピュータプログラムは、メモリ内に格納され、プロセッサ上で実行可能である。コンピュータプログラムを実行すると、プロセッサは、第１の態様または第１の態様の任意の可能な実装による方法を実行する。
【００２９】
随意で、装置に含まれるプロセッサおよびメモリは、さらに、チップを用いて実装されてよい。
【００３０】
第６の態様により、本願は、データ送信のための通信装置を提供し、通信装置は、メモリと、プロセッサと、送受信機と、コンピュータプログラムとを含み、当該コンピュータプログラムは、メモリ内に格納され、プロセッサ上で実行可能であり、プロセッサがコンピュータを実行すると、プロセッサは、第２の態様または第２の態様の任意の可能な実装に係る方法を実行する。
【００３１】
随意で、装置に含まれるプロセッサおよびメモリは、さらに、チップを用いて実装されてよい。
【００３２】
第７の態様により、本願は、コンピュータプログラムを格納するよう構成されたコンピュータ可読媒体を提供し、コンピュータプログラムは、第１の態様または第１の態様の任意の可能な実装に係る方法を実行するために用いられる命令を含む。
【００３３】
第８の態様により、本願は、コンピュータプログラムを格納するよう構成されたコンピュータ可読媒体を提供し、コンピュータプログラムは、第２の態様または第２の態様の任意の可能な実装に係る方法を実行するために用いられる命令を含む。
【００３４】
第９の態様により、本願は、命令を含むコンピュータプログラムプロダクトを提供し、コンピュータプログラムプロダクトがコンピュータ上で実行されると、コンピュータは、第１の態様または第１の態様の任意の可能な実装に係る方法を実行する。
【００３５】
第１０の態様により、本願は、命令を含むコンピュータプログラムプロダクトを提供し、コンピュータプログラムプロダクトがコンピュータ上で実行されると、コンピュータは、第２の態様または第２の態様の任意の可能な実装に係る方法を実行する。
【図面の簡単な説明】
【００３６】
【図１】本願の一実施形態による、無線通信システムの概略アーキテクチャダイアグラムである。
【００３７】
【図２】本願の一実施形態による通信方法の概略フローチャートである。
【００３８】
【図３】本願の一実施形態による別の通信方法の概略フローチャートである。
【００３９】
【図４】本願の一実施形態による別の通信方法の概略フローチャートである。
【００４０】
【図５】本願の一実施形態による、ＳＳバーストを含むＳＳバーストセットの周期に含まれる各無線システムフレームの概略図である。
【００４１】
【図６】本願の一実施形態によるデータ送信のための通信装置の概略ブロック図である。
【００４２】
【図７】本願の一実施形態によるデータ送信のための別の通信装置の概略ブロック図である。
【００４３】
【図８】本願の一実施形態によるデータ送信のためのさらなる別の通信装置の概略ブロック図である。
【００４４】
【図９】本願の一実施形態によるデータ送信のためのさらなる別の通信装置の概略ブロック図である。
【発明を実施するための形態】
【００４５】
以下に、添付図面を参照して、本願の技術的解決手段について説明する。
【００４６】
図１は、本願の一実施形態による無線通信システム１００を示す。無線通信システム１００は、少なくとも１つのネットワークデバイスを含んでよい。図１は、ネットワークデバイス１１０を示す。ネットワークデバイス１１０は、特定の地理エリアに対する通信カバレッジを提供してよく、当該カバレッジエリア内に位置する端末デバイスと通信してよい。ネットワークデバイス１１０は、ＧＳＭ（登録商標）システムまたはＣＤＭＡシステムにおけるネットワークデバイス（例：base transceiver station, BTS）であってよく、ＷＣＤＭＡ（登録商標）システムにおけるネットワークデバイス（例：NodeB, NB）であってよく、ＬＴＥシステムにおける進化型ネットワークデバイス（例：evolved Node B, eNB, またはeNodeB）であってよく、または、クラウド無線アクセスネットワーク（cloud radio access network, CRAN）における無線コントローラであってよい。代替的に、ネットワークデバイスは、将来の５Ｇネットワーク内のコアネットワーク、中継ノード、アクセスポイント、車載デバイス、ウェアラブルデバイス、ネットワークサイドのデバイス、将来の進化型公衆陸上移動体ネットワーク（public land mobile network, PLMN）内のネットワークデバイス等であってよい。
【００４７】
無線通信システム１００は、さらに、ネットワークデバイス１１０のカバレッジ内に位置する少なくとも１つの端末デバイスを含む。図１は、ユーザ機器１２０およびユーザ機器１３０を示す。
【００４８】
図１は、１つのネットワークデバイスと２つの端末デバイスとの例を示す。随意で、無線通信システム１００は、複数のネットワークデバイスを含んでよく、それらの各々が、別の数の端末デバイスをカバーしてよい。このことは、本願のこの実施形態において限定されるものではない。随意で、無線通信システム１００は、さらに、ネットワークコントローラまたはモビリティ管理エンティティ等の別のネットワークエンティティを含んでよい。本願のこの実施形態は、これの点に限定されるものではない。
【００４９】
ユーザ機器（user equipment, UE）は、移動式または固定式であってよいことを理解されたい。ＵＥは、端末デバイス、アクセス端末、加入者ユニット、加入者局、モバイル局、モバイルコンソール、遠隔局、遠隔端末、モバイルデバイス、ユーザ端末、端末、無線通信デバイス、ユーザエージェント、ユーザ通信装置等であってよい。ＵＥは、セルラ電話、コードレス電話、セッション初期化プロトコル（session initiation protocol, SIP）電話、無線ローカルループ（wireless local loop, WLL）局、パーソナルデジタルアシスタント（personal digital assistant, PDA）、無線通信機能を有するハンドヘルドデバイス、コンピューティングデバイス、無線モデムに接続された別の処理デバイス、車載デバイス、ウェアラブルデバイス、将来の５Ｇネットワークにおける端末デバイス、将来の進化型ＰＬＭＮにおける端末デバイス等であってよい。
【００５０】
図２は、本願の一実施形態による通信方法２００の概略フローチャートである。方法２００は、図１に示された無線通信システムに適用されてよい。ネットワークデバイスは、基地局であってよく、例えば、基地局のセルであってよい。しかしながら、このことは、本願のこの実施形態において限定されるものではない。
【００５１】
Ｓ２１０：送信されるべき第１のＰＢＣＨが配置される無線システムフレームのシステムフレーム番号を決定する。第１のＰＢＣＨは、第１の同期信号バーストセット（SS burst set）に含まれ、第１のＳＳバーストセットの周期は、複数の周期のうちの１つである。
【００５２】
ＮＲ通信システムでは、同期信号は、ＰＳＳおよびＳＳＳを含むことを理解されたい。ＰＳＳおよびＳＳＳ並びにＰＢＣＨは、１つのＳＳブロックを形成する。少なくとも１つのＳＳブロックは、１つのＳＳバーストを形成し、少なくとも１つのＳＳバーストは、１つのＳＳバーストセットを形成する。
【００５３】
例えば、１つのＰＳＳ、１つのＳＳＳおよび２つのＰＢＣＨが１つのＳＳブロックを形成してよく、４つのＳＳブロックが１つのＳＳバーストを形成してよく、２つのＳＳバーストが１つのＳＳバーストセットを形成してよい。
【００５４】
基地局は、ＵＥのために、１つのＳＳバーストセットの複数の周期を構成してよいことをさらに理解されたい。例えば、当該ＳＳバーストセットの周期は、５ｍｓ、１０ｍｓ、２０ｍｓ、４０ｍｓ、８０ｍｓまたは１６０ｍｓであってよい。当該ＳＳバーストセットは、１つのＴＴＩ内に１つの周期を有する。しかしながら、本願のこの実施形態は、これに限定されるものではない。
【００５５】
Ｓ２２０：第１の処理方式で、第１のマスタ情報ブロック（ＭＩＢ）を処理して、第１のトランスポートブロックを取得する。第１の処理方式は、第１のＰＢＣＨが配置される無線システムフレームのシステムフレーム番号のうちの一部のビットを示すために用いられ、第１のＭＩＢは、第１のＰＢＣＨが配置される無線システムフレームのシステムフレーム番号のうちの当該一部のビット以外の残りのビットを含む。
【００５６】
無線システムフレームのシステムフレーム番号は、Ｎ個の連続するビットを用いて示されてよいことを理解されたい。各ビットは、０または１であってよい。Ｎ個のビットの各ビットの位置は、ビット位置と称される。システムフレーム番号の値は、０から２Ｎまでループしてよい。
【００５７】
例えば、システムフレーム番号の長さが１０ビットである場合、システムフレーム番号００００００００１０は、無線システムフレーム２を示す。９番目のビット位置におけるビットが１であることは、９番目のビットが１であるとして理解されてよい。
【００５８】
随意で、基地局により用いられる第１の処理方式は、ＣＲＣ、巡回シフトおよびスクランブリングのうち少なくとも１つを含んでよい。第１の処理方式は、当該一部のビットを示すために用いられることを理解されたい。
【００５９】
随意で、ＵＥおよび基地局は、プロトコルに従い、第１の処理方式がスクランブリングであること、および、スクランブリングを通して暗黙的に示される一部のビットについて合意してよい。代替的に、基地局は、より上位レイヤのシグナリングを用いて、ＵＥに対し、第１の処理方式はスクランブリングであることを示してよく、ＵＥに対し、スクランブリング方式で暗黙的に示される一部のビットを示してよい。このことは、本願のこの実施形態において、限定されるものではない。
【００６０】
随意の実施形態において、基地局は第１のＭＩＢをスクランブリングして、第１のトランスポートブロックを取得してよい。スクランブリング方式は、当該一部のビットを暗黙的に示すために用いられる。
【００６１】
スクランブリングの場合、初期化シードによって生成された擬似ランダムシーケンスおよび情報ビット（第１のＰＢＣＨが配置される無線システムフレームのシステムフレーム番号のうちの残りのビット）に対し、ビットレベルの排他的ＯＲ演算（または乗算）が実行され、初期化シードは、第１のＰＢＣＨが配置される無線システムフレームのシステムフレーム番号のうちの一部のビットを暗黙的に示すために用いられることを理解されたい。代替的に、スクランブリングの場合、１つの初期化シードにより生成された擬似ランダムシーケンスは、複数のセグメントに分割され、情報ビットは、当該擬似ランダムシーケンスの当該複数のセグメントを用いてスクランブリングされる。
【００６２】
随意で、ＵＥおよび基地局は、プロトコルに従い、第１の処理方式がＣＲＣであること、ＣＲＣを用いて暗黙的に示された当該一部のビットについて合意してよい。代替的に、基地局は、より上位レイヤのシグナリングを用いて、ＵＥに対し、第１の処理方式はＣＲＣであることを示してよく、ＵＥに対し、ＣＲＣ方式を用いて暗黙的に示される当該一部のビットを示してよい。このことは、本願のこの実施形態において限定されるものではない。
【００６３】
随意の実施形態において、基地局は、ＣＲＣマスクを用いて、第１のＭＩＢ内の第１のビットセグメントにＣＲＣビットを追加した後に、エンコーディングを実行して、第１のトランスポートブロックを取得してよい。ＣＲＣマスクは、当該一部のビットを暗黙的に示すために用いられる。
【００６４】
第１のＭＩＢに用いられる異なるＣＲＣマスクは、異なるＣＲＣビットを生成してよいことを理解されたい。具体的に言うと、１つのＣＲＣマスクは、一意のＣＲＣビットを生成してよい。一意のＣＲＣマスクは、異なる情報ビットに対応することをさらに理解されたい。
【００６５】
例えば、当該一部のビットは、ＣＲＣマスク０を用いて暗黙的に示されてよく、または、当該一部のビットは、ＣＲＣマスク１を用いて暗黙的に示されてよい。
【００６６】
例えば、巡回冗長検査（cyclic redundancy check, CRC）ビットを生成するＮビットのＣＲＣレジスタの初期シーケンスａｉｎｉは、
【数１】
0006903390.tif 000002
と示され、ＣＲＣマスクとも称される。情報ビット<b0, …, and bn>（具体的に言うと、第１のビットセグメント内に含まれるビット）が、レジスタに入力され、ＣＲＣビットが生成される。ＣＲＣビットが元の情報ビットの後に配置され、完全なＭＩＢ情報が形成される。基地局は、第１のトランスポートブロックを取得すべく、さらに、処理を繰り返し、完全なＭＩＢ情報をエンコーディングする。
【００６７】
随意で、ＵＥおよび基地局は、プロトコルに従い、第１の処理方式が巡回シフトであること、および、巡回シフトを用いて暗黙的に示される当該一部のビットについて合意してよい。代替的に、基地局は、より上位レイヤのシグナリングを用いて、ＵＥに対し、第１の処理方式は巡回シフトであることを示してよく、ＵＥに対し、巡回シフトを用いて暗黙的に示される当該一部のビットを示してよい。このことは、本願のこの実施形態において限定されるものではない。
【００６８】
随意の実施形態において、第１の処理方式は、巡回シフトであってよい。基地局は、プリコーディング巡回シフトまたはポストコーディング巡回シフトを、第１のＭＩＢ内の第１のビットセグメントに実行して、第１のトランスポートブロックを取得してよい。巡回シフトの長さを用いて当該一部のビットを暗黙的に示す。
【００６９】
例えば、巡回シフトは、２つの場合に実行される。１つの場合においては、巡回シフトは、情報ビットがエンコーディングされる前に実行される。もう１つの場合においては、巡回シフトは、情報ビットがエンコーディングされた後に実行される。巡回シフトが実行されるべきデータが１００１００１１であると仮定する。当該データに巡回シフトを実行するには、当該データは、４つの部分に分割され、各部分の長さは、２ビット（具体的に言うと、データは１０、０１、００および１１に分割される）である。巡回シフトがデータに１つの部分だけ実行された（換言すると、巡回シフトの長さは２ビットである）後、１１１００１００（具体的に言うと、１００１００１１の最後の部分が、最後端から最前端まで周期的にシフトされる）が取得され得る。巡回シフトがデータに２つの部分だけ実行された（換言すると、巡回シフトの長さは４ビットである）後、００１１１００１が取得される。巡回シフトがデータに３つの部分だけ実行された（換言すると、巡回シフトの長さは６ビットである）後、０１００１１１０が取得される。
【００７０】
随意で、第１の処理方式は、ＣＲＣおよびスクランブリングを含んでよく、または第１の処理方式は、巡回シフトおよびスクランブリングを含んでよく、または第１の処理方式は、ＣＲＣおよび巡回シフトを含んでよく、または第１の処理方式は、ＣＲＣ、巡回シフトおよびスクランブリングを含んでよい。このことは、本願のこの実施形態において限定されるものではない。例えば、第１の処理方式が巡回シフトおよびスクランブリングを含む場合、基地局は、第１のＭＩＢの残りのビットに対し、プリコーディング巡回シフトを実行した後、第１のＭＩＢをエンコーディングし、エンコーディングされた第１のＭＩＢをスクランブリングして、第１のトランスポートブロックを取得してよい。暗黙的に当該一部のビットを示すべく、巡回シフトの長さおよびスクランブリング方式が共に用いられる。
【００７１】
Ｓ２３０：第１のＰＢＣＨを用いて、第１のＰＢＣＨが配置される無線システムフレーム内で第１のトランスポートブロックを送信する。これに応じて、基地局のカバレッジ内のＵＥは、ネットワークデバイスによって、第１のＰＢＣＨを用いて送信された第１のトランスポートブロックを取得する。第１のＰＢＣＨは第１の同期信号バーストセット（SS burst set）内に含まれ、第１のＳＳバーストセットの周期は、複数の周期のうちの１つである。
【００７２】
随意で、第１のＰＢＣＨが第１のＴＴＩで送信され、且つ第１のＳＳバーストセットの周期が第１のＴＴＩにおける複数の周期のうちの第１の周期である場合、さらに、基地局は、第２のＴＴＩで送信されるべき第２のＰＢＣＨが配置される無線システムフレームのシステムフレーム番号を決定してよく、第２のＰＢＣＨは、第２のＳＳバーストセット内に含まれ、第２のＳＳバーストセットの周期は、複数の周期のうちの第２の周期であり、基地局は、第１の処理方式で第２のＭＩＢを処理して、第２のトランスポートブロックを取得してよく、第１の処理方式は、第２のＰＢＣＨが配置される無線システムフレームのシステムフレーム番号のうちの一部のビットを示すために用いられ、具体的に言うと、第１の処理方式で暗黙的に示される、第１のＰＢＣＨが配置される無線システムフレームのシステムフレーム番号のうちの一部のビットは、第１の処理方式で暗黙的に示される、第２のＰＢＣＨが配置される無線システムフレームのシステムフレーム番号のうちの一部のビットと同一であり、第２のＭＩＢは、第２のＰＢＣＨが配置される無線システムフレームのシステムフレーム番号のうちの、当該一部のビット以外の残りのビットを含み、基地局は、第２のＰＢＣＨを用いて、第２のＰＢＣＨが配置される無線システムフレーム内で第２のトランスポートブロックを送信してよい。
【００７３】
第１のＰＢＣＨが配置される無線システムフレームのシステムフレーム番号は、第２のＰＢＣＨが配置された無線システムフレームのシステムフレーム番号と同一であってよく、またはそれと異なってよいことを理解されたい。このことは、本願のこの実施形態において限定されるものではない。
【００７４】
具体的に言うと、ＳＳバーストセットの異なる周期において、ＰＢＣＨが配置される無線システムフレームのシステムフレーム番号は、統一された処理方式で送信される。
【００７５】
Ｓ２４０：ＵＥは、第１の処理方式で、第１のトランスポートブロックを処理して、第１のマスタ情報ブロック（ＭＩＢ）を取得し、第１の処理方式で、第１のＰＢＣＨが配置された無線システムフレームのシステムフレーム番号のうちの一部のビットの位置、および当該一部のビットの位置のビット（以下、一部のビットと言う）を取得し、第１のＭＩＢは、第１のＰＢＣＨが配置された無線システムフレームのシステムフレーム番号のうちの一部のビット以外の残りのビットを含む。
【００７６】
ＵＥにより用いられる第１の処理方式は、基地局により用いられる第１の処理方式に対応していることを理解されたい。具体的に言うと、ＵＥによって用いられる第１の処理方式および基地局によって用いられる第１の処理方式は、互いに逆の処理である。
【００７７】
Ｓ２５０：当該一部のビットおよび残りのビットに基づき、第１のＰＢＣＨが配置された無線システムフレームのシステムフレーム番号を決定する。
【００７８】
随意で、本願のこの実施形態における当該一部のビットは、２番目と３番目の最下位ビットであってよい。無線システムフレームのシステムフレーム番号の長さが１０ビットである場合、基地局は、第１の処理方式で第１のＭＩＢを処理して、第１のトランスポートブロックを取得してよい。第１の処理方式は、無線システムフレームのシステムフレーム番号のうちの一部のビット（具体的に言うと、２番目と３番目の最下位ビット）を暗黙的に示すために用いられる。第１のＭＩＢは、無線システムフレームのシステムフレーム番号のうちの当該一部のビット以外の残りのビット（具体的に言うと、最上位７ビットおよび最下位１ビット）を含む。
【００７９】
よって、無線システムフレームのシステムフレーム番号の最上位７ビット（例えば、ＳＦＮの最上位７ビット）および最下位１ビット（例えば、ＳＦＮの最下位ビット）が、ＰＢＣＨでＵＥに対し示される。無線システムフレームのシステムフレーム番号の２番目と３番目の最下位ビット（例えば、ＳＦＮの２番目と３番目の最下位ビット）は、ＰＢＣＨをデコーディングする第１の処理方式により、ＵＥに暗黙的に示される。
【００８０】
説明の便宜上、本願のこの実施形態において、一部のビットの位置におけるビットは、一部のビットと総称され、システムフレーム番号のうちの当該一部のビット以外のビットは、残りのビットと総称される。
【００８１】
以下に、基地局により、ＳＳバーストセットの異なる周期において、同一の処理方式（第１の処理方式では、２番目と３番目の最下位ビットが暗黙的に示される）で、ＰＢＣＨを用いてＳＦＮを送信する方法について、図３を参照して詳細に説明する。
【００８２】
図３は、ＰＢＣＨの６個のＴＴＩ（図３に示される、ＴＴＩ１、ＴＴＩ２、ＴＴＩ３、ＴＴＩ４、ＴＴＩ５およびＴＴＩ６等）を示す。各ＴＴＩは、８０ｍｓの長さを有し、８個の無線システムフレーム（図３に示される無線システムフレーム０から無線システムフレーム７等まで）を含む。例えば、ＴＴＩ１のＳＳバーストセットの周期は５ｍｓであり、ＴＴＩ２のＳＳバーストセットの周期は１０ｍｓであり、ＴＴＩ３のＳＳバーストセットの周期は２０ｍｓであり、ＴＴＩ４のＳＳバーストセットの周期は４０ｍｓであり、ＴＴＩ５のＳＳバーストセットの周期は８０ｍｓであり、およびＴＴＩ６のＳＳバーストセットの周期は１６０ｍｓである。
【００８３】
本願のこの実施形態において、ＴＴＩ１、ＴＴＩ２、ＴＴＩ３、ＴＴＩ４、ＴＴＩ５およびＴＴＩ６の各々は、ＰＢＣＨのＴＴＩであることを理解されたい。基地局は、各ＴＴＩにおいて、異なるＳＳバーストセットにて、ＰＢＣＨを用いてＳＦＮを送信する。ＴＴＩのシーケンス番号は、ＳＦＮが、ＳＳバーストセットの異なる周期で送信されるＴＴＩを区別するためにのみ用いられる。本願のこの実施形態において、ＴＴＩ１からＴＴＩ６までのシーケンスに限定されるものではない。
【００８４】
各ＴＴＩが８個の無線システムフレームを含む場合、各ＴＴＩにおいて、システムフレーム番号nfがnf mod 8=0を満たす無線システムフレームが、当該ＴＴＩにおけるＳＳバーストセットの１つの周期の初期無線システムフレームとして用いられることを理解されたい。
【００８５】
以下に、ＳＳバーストセットの異なる周期において、ＰＢＣＨを用いてＳＦＮを送信する方法について、詳細に説明する。
【００８６】
（１）ＴＴＩ２において、ＳＳバーストセットの周期は１０ｍｓであり、基地局は、無線システムフレーム０から無線システムフレーム７までで、ＰＢＣＨを送信することで、無線システムフレームのシステムフレーム番号を個別に送信する。
【００８７】
例えば、無線システムフレーム０のシステムフレーム番号は００００００００００であり、無線システムフレーム１のシステムフレーム番号は０００００００００１であり、無線システムフレーム２のシステムフレーム番号は００００００００１０であり、無線システムフレーム３のシステムフレーム番号は００００００００１１であり、無線システムフレーム４のシステムフレーム番号は０００００００１００であり、無線システムフレーム５のシステムフレーム番号は０００００００１０１であり、無線システムフレーム６のシステムフレーム番号は０００００００１１０であり、および無線システムフレーム７のシステムフレーム番号は０００００００１１１である。
【００８８】
無線システムフレーム０、無線システムフレーム２、無線システムフレーム４および無線システムフレーム６のシステムフレーム番号の間では、最下位１ビットは同一且つ０であり、最上位７ビットも同じである。従って、基地局は、第１のＭＩＢを用いて、システムフレーム番号のうちの残りのビット（最下位１ビットおよび最上位７ビット）を送信し、各無線システムフレーム内で同一の第１のＭＩＢが送信されることを保証する。第１の処理方式は、システムフレーム番号のうちの一部のビット（２番目と３番目の最下位ビット）を暗黙的に示すために用いられる。
【００８９】
無線システムフレーム１、無線システムフレーム３、無線システムフレーム５および無線システムフレーム７のシステムフレーム番号の間では、最下位ビットは同一且つ１であり、最上位７ビットも同じである。従って、基地局は、第２のＭＩＢを用いて、システムフレーム番号のうちの残りのビット（最下位ビットおよび最上位７ビット）を送信し、各無線システムフレーム内で同一の第２のＭＩＢが送信されることを保証する。第１の処理方式は、システムフレーム番号のうちの一部のビット（２番目と３番目の最下位ビット）を暗黙的に示すために用いられる。
【００９０】
随意の実施形態において、基地局は、異なる処理方式で、第１のＭＩＢを個別に処理して、各処理方式に対応するトランスポートブロック（図３中のトランスポートブロック０、トランスポートブロック２、トランスポートブロック４またはトランスポートブロック６等）を取得してよい。第１のＭＩＢは、システムフレーム番号のうちの残りのビット（残りのビットは、最上位７ビットおよび最下位ビットであり、最下位ビットは０である）を含む。処理方式は、システムフレーム番号のうちの一部のビット（２番目と３番目の最下位ビット）を暗黙的に示すために用いられる。
【００９１】
随意の実施形態において、基地局は、異なる処理方式で、第２のＭＩＢを個別に処理して、各処理方式に対応するトランスポートブロック（図３中のトランスポートブロック１、トランスポートブロック３、トランスポートブロック５またはトランスポートブロック７等）を取得してよい。第２のＭＩＢは、システムフレーム番号のうちの残りのビット（残りのビットは、最上位７ビットおよび最下位ビットであり、最下位ビットは１である）を含む。処理方式は、システムフレーム番号のうちの一部のビット（２番目と３番目の最下位ビット）を暗黙的に示すために用いられる。
【００９２】
具体的には、第１のＭＩＢを用いて送信される、システムフレーム番号の最下位ビット、第２のＭＩＢを用いて送信されるシステムフレーム番号の最下位ビット、および第１の処理方式で暗黙的に示されるシステムフレーム番号の２番目と３番目の最下位ビットに基づき、基地局は、無線システムフレームのシステムフレーム番号の最下位３ビット、および無線システムフレームのシステムフレーム番号の最下位３ビットと、当該無線システムフレームで送信されるトランスポートブロックとの間のマッピング関係を決定してよい。
【００９３】
例えば、無線システムフレーム０のシステムフレーム番号の最下位３ビットは０００であり、トランスポートブロック０に対応し、無線システムフレーム１のシステムフレーム番号の最下位３ビットは００１であり、トランスポートブロック１に対応し、無線システムフレーム２のシステムフレーム番号の最下位３ビットは０１０であり、トランスポートブロック２に対応し、無線システムフレーム３のシステムフレーム番号の最下位３ビットは０１１であり、トランスポートブロック３に対応し、無線システムフレーム４のシステムフレーム番号の最下位３ビットは１００であり、トランスポートブロック４に対応し、無線システムフレーム５のシステムフレーム番号の最下位３ビットは１０１であり、トランスポートブロック５に対応し、無線システムフレーム６のシステムフレーム番号の最下位３ビットは１１０であり、トランスポートブロック６に対応し、無線システムフレーム７のシステムフレーム番号の最下位３ビットは１１１であり、トランスポートブロック７に対応する。
【００９４】
従って、基地局は、無線システムフレーム０で、ＰＢＣＨを用いてトランスポートブロック０を、無線システムフレーム１で、ＰＢＣＨを用いてトランスポートブロック１を、無線システムフレーム２で、ＰＢＣＨを用いてトランスポートブロック２を、無線システムフレーム３で、ＰＢＣＨを用いてトランスポートブロック３を、無線システムフレーム４で、ＰＢＣＨを用いてトランスポートブロック４を、無線システムフレーム５で、ＰＢＣＨを用いてトランスポートブロック５を、無線システムフレーム６で、ＰＢＣＨを用いてトランスポートブロック６を、および無線システムフレーム７で、ＰＢＣＨを用いてトランスポートブロック７を送信する。
【００９５】
（２）ＴＴＩ３において、ＳＳバーストセットの周期は２０ｍｓであり、基地局は、無線システムフレーム０、無線システムフレーム２、無線システムフレーム４および無線システムフレーム６でＰＢＣＨを用いて、ＳＦＮを個別に送信する。
【００９６】
具体的には、第１のＭＩＢを用いて送信される、システムフレーム番号の最下位ビット、第１の処理方式に含まれる異なる方式で暗黙的に示されるシステムフレーム番号の２番目と３番目の最下位ビットに基づき、基地局は、無線システムフレームのシステムフレーム番号の最下位３ビット、および無線システムフレームのシステムフレーム番号の最下位３ビットと、当該無線システムフレームで送信されるトランスポートブロックとの間のマッピング関係を決定してよい。
【００９７】
例えば、無線システムフレーム０のシステムフレーム番号の最下位３ビットは０００であり、トランスポートブロック０に対応し、無線システムフレーム２のシステムフレーム番号の最下位３ビットは０１０であり、トランスポートブロック２に対応し、無線システムフレーム４のシステムフレーム番号の最下位３ビットは１００であり、トランスポートブロック４に対応し、無線システムフレーム６のシステムフレーム番号の最下位３ビットは１１０であり、トランスポートブロック６に対応する。
【００９８】
従って、基地局は、無線システムフレーム０で、ＰＢＣＨを用いてトランスポートブロック０を、無線システムフレーム２で、ＰＢＣＨを用いてトランスポートブロック２を、無線システムフレーム４で、ＰＢＣＨを用いてトランスポートブロック４を、および無線システムフレーム６で、ＰＢＣＨを用いてトランスポートブロック６を送信する。
【００９９】
ＳＳバーストセットの周期が２０ｍｓの場合、無線システムフレーム０、無線システムフレーム２、無線システムフレーム４および無線システムフレーム６で、ＰＢＣＨを用いてＳＦＮを送信する方法は、ＳＳバーストセットの周期が１０ｍｓの場合に、無線システムフレーム０、無線システムフレーム２、無線システムフレーム４および無線システムフレーム６で、ＰＢＣＨを用いてＳＦＮを送信する方法と同一であることを理解されたい。
【０１００】
ＴＴＩ２において、ＳＳバーストセットの周期が第１の周期（例えば、１０ｍｓ）であると仮定する。第１のＰＢＣＨが配置された無線システムフレームのシステムフレーム番号が００１１０１０００１である（具体的に言うと、ＴＴＩ２における無線システムフレーム１）場合、基地局は、第１の処理方式で第１のＭＩＢを処理して、第１のトランスポートブロックを取得する。第１の処理方式は、第１のＰＢＣＨが配置される無線システムフレームのシステムフレーム番号のうちの２番目と３番目の最下位ビット（例えば、下線付きの２つのビット）を示すために用いられる。第１のＭＩＢは、第１のＰＢＣＨが配置される無線システムフレームのシステムフレーム番号のうち、００１１０１０１（最上位７ビットおよび最下位ビット）を含む。
【０１０１】
ＴＴＩ３において、ＳＳバーストセットの周期が第２の周期（例えば、２０ｍｓ）であると仮定する。第２のＰＢＣＨが配置された無線システムフレームのシステムフレーム番号が０１１０１１０００１である（具体的に言うと、ＴＴＩ３における無線システムフレーム１）場合、基地局は、第２の処理方式で第２のＭＩＢを処理して、第２のトランスポートブロックを取得する。第２の処理方式は、第２のＰＢＣＨが配置される無線システムフレームのシステムフレーム番号のうちの２番目と３番目の最下位ビット（例えば、下線付きの２つのビット）を示すために用いられる。第２のＭＩＢは、第２のＰＢＣＨが配置される無線システムフレームのシステムフレーム番号のうち、０１１０１１０１（最上位７ビットおよび最下位ビット）を含む。第２のＰＢＣＨが配置された無線システムフレームのシステムフレーム番号が０１１０１１００１０である（具体的に言うと、ＴＴＩ３における無線システムフレーム２）場合、基地局は、第２の処理方式で第２のＭＩＢを処理して、第２のトランスポートブロックを取得する。第２の処理方式は、第２のＰＢＣＨが配置される無線システムフレームのシステムフレーム番号のうちの２番目と３番目の最下位ビット（例えば、下線付きの２つのビット）を示すために用いられる。第２のＭＩＢは、第２のＰＢＣＨが配置される無線システムフレームのシステムフレーム番号のうち、０１１０１１００（最上位７ビットおよび最下位ビット）を含む。
【０１０２】
従って、異なる周期において、ＰＢＣＨを用いて送信されたシステムフレーム番号が同一であるか異なるかに関わらず、基地局は、統一された方法で、ＰＢＣＨを用いてＳＦＮを送信してよい。従って、基地局およびＵＥの複雑さは低減されてよい。
【０１０３】
（３）ＴＴＩ４において、ＳＳバーストセットの周期は４０ｍｓであり、基地局は、無線システムフレーム０および無線システムフレーム４で、ＰＢＣＨを用いてＳＦＮを個別に送信する。
【０１０４】
具体的には、第１のＭＩＢを用いて送信される、システムフレーム番号の最下位ビット、第１の処理方式に含まれる異なる方式で暗黙的に示されるシステムフレーム番号の２番目と３番目の最下位ビットに基づき、基地局は、無線システムフレームのシステムフレーム番号のうちの最下位３ビット、および無線システムフレームのシステムフレーム番号のうちの最下位３ビットと、当該無線システムフレームで送信されるトランスポートブロックとの間のマッピング関係を決定してよい。
【０１０５】
例えば、無線システムフレーム０のシステムフレーム番号の最下位３ビットは０００であり、トランスポートブロック０に対応し、無線システムフレーム４のシステムフレーム番号の最下位３ビットは１００であり、トランスポートブロック４に対応する。
【０１０６】
従って、基地局は、無線システムフレーム０で、ＰＢＣＨを用いてトランスポートブロック０を、無線システムフレーム４で、ＰＢＣＨを用いてトランスポートブロック４を送信する。
【０１０７】
ＳＳバーストセットの周期が４０ｍｓの場合に、無線システムフレーム０および無線システムフレーム４で、ＰＢＣＨを用いてＳＦＮを送信する方法は、ＳＳバーストセットの周期が１０ｍｓの場合に、無線システムフレーム０および無線システムフレーム４で、ＰＢＣＨを用いてＳＦＮを送信する方法と同一であることを理解されたい。繰り返しを避けるため、詳細について、ここで再度説明はしない。
【０１０８】
（４）ＴＴＩ５において、ＳＳバーストセットの周期は８０ｍｓであり、基地局は、無線システムフレーム０で、ＰＢＣＨを用いてＳＦＮを送信する。
【０１０９】
具体的には、第１のＭＩＢを用いて送信される、システムフレーム番号の最下位ビット、第１の処理方式に含まれる異なる方式で暗黙的に示されるシステムフレーム番号のうちの２番目と３番目の最下位ビットに基づき、基地局は、無線システムフレームのシステムフレーム番号のうちの最下位３ビット、および無線システムフレームのシステムフレーム番号のうちの最下位３ビットと、当該無線システムフレームで送信されるトランスポートブロックとの間のマッピング関係を決定してよい。
【０１１０】
例えば、無線システムフレーム０のシステムフレーム番号の最下位３ビットは０００であり、トランスポートブロック０に対応する。基地局は、無線システムフレーム０で、ＰＢＣＨを用いてトランスポートブロック０を送信する。
【０１１１】
（５）ＴＴＩ６において、ＳＳバーストセットの周期は１６０ｍｓであり、基地局は、無線システムフレーム０で、ＰＢＣＨを用いてＳＦＮを送信し、基地局は、ＴＴＩ６からもう１つのＴＴＩだけ間隔を置いた、もう１つ次のＴＴＩで、ＰＢＣＨを用いて次のＳＦＮを送信する。
【０１１２】
具体的には、第１のＭＩＢを用いて送信される、システムフレーム番号の最下位ビット、第１の処理方式に含まれる異なる方式で暗黙的に示されるシステムフレーム番号の２番目と３番目の最下位ビットに基づき、基地局は、無線システムフレームのシステムフレーム番号の最下位３ビット、および無線システムフレームのシステムフレーム番号の最下位３ビットと、当該無線システムフレームで送信されるトランスポートブロックとの間のマッピング関係を決定してよい。
【０１１３】
例えば、無線システムフレーム０のシステムフレーム番号の最下位３ビットは０００であり、トランスポートブロック０に対応する。基地局は、無線システムフレーム０内で、ＰＢＣＨを用いてトランスポートブロック０を送信する。
【０１１４】
ＳＳバーストセットの周期が１６０ｍｓの場合に、無線システムフレーム０で、ＰＢＣＨを用いてＳＦＮを送信する方法は、ＳＳバーストセットの周期が１０ｍｓの場合に、無線システムフレーム０でＰＢＣＨを用いてＳＦＮを送信する方法と同一であることを理解されたい。繰り返しを避けるため、詳細について、ここで再度説明はしない。
【０１１５】
（６）ＴＴＩ１において、ＳＳバーストセットの周期は５ｍｓであり、基地局は、無線システムフレーム０から無線システムフレーム７までで、ＰＢＣＨを用いてＳＦＮを送信し、各無線システムフレーム内で２つのＳＳブロックを送信する。具体的に言うと、２つのＳＳブロックは、第１のハーフフレームおよび第２のハーフフレームでそれぞれ送信される。第１のハーフフレームおよび第２のハーフフレームで送信される２つのＳＳブロックの両方がＰＢＣＨを含んでよい、あるいは、１つのＳＳブロックのみがＰＢＣＨを含む。第１のハーフフレームおよび第２のハーフフレームの両方は同一の無線システムフレームに配置されているので、第１のハーフフレームで送信されるＳＳブロック内のＳＦＮは、第２のハーフフレームで送信されるＳＳブロック内のＳＦＮと同一である。
【０１１６】
ＳＳバーストセットの周期が５ｍｓの場合に、無線システムフレーム０から無線システムフレーム７までで、ＰＢＣＨを用いてＳＦＮを送信する方法は、ＳＳバーストセットの周期が１０ｍｓの場合に、無線システムフレーム０から無線システムフレーム７までで、ＰＢＣＨを用いてＳＦＮを送信する方法と同一であることを理解されたい。繰り返しを避けるため、詳細について、ここで再度説明はしない。
【０１１７】
基地局は、ＳＳバーストセットの複数の周期を構成してよいことを理解されたい。換言すると、ＳＳバーストセットの異なる期間が、異なるＴＴＩで用いられる。ＳＳバーストセットの複数の周期は、例えば、５ｍｓ、１０ｍｓ、２０ｍｓ、４０ｍｓ、８０ｍｓおよび１６０ｍｓのＳＳバーストセットうちの２または２より多い周期であってよい。このことは、本願のこの実施形態において限定されるものではない。
【０１１８】
本願のこの実施形態で提供される通信方法では、基地局は、ＳＳバーストセットの２または２より多い異なる周期において、ＳＳバーストセットの各周期ごとに対応するＳＦＮ送信方法を必要とせず、第１のＭＩＢを用いて、システムフレーム番号の最上位７ビットおよび最下位ビットを送信し、第１のＭＩＢを処理するために用いられる第１の処理方式は、システムフレーム番号の２番目と３番目の最下位ビットを暗黙的に示す。従って、基地局およびＵＥの計算の複雑さが低減可能であり、ＵＥによるＳＦＮの検出の複雑さが低減される。
【０１１９】
随意で、第１の処理方式は、一部のビットの位置および当該一部のビットの位置におけるビットを示してよい。
【０１２０】
随意の実施形態において、図３に示される通り、ＴＴＩ２では、ＳＳバーストセットの周期は１０ｍｓであり、基地局は、無線システムフレーム０から無線システムフレーム７までで、ＰＢＣＨを送信することで、無線システムフレームのシステムフレーム番号を個別に送信する。
【０１２１】
例えば、無線システムフレーム０のシステムフレーム番号は００００００００００であり、無線システムフレーム１のシステムフレーム番号は０００００００００１であり、無線システムフレーム２のシステムフレーム番号は００００００００１０であり、無線システムフレーム３のシステムフレーム番号は００００００００１１であり、無線システムフレーム４のシステムフレーム番号は０００００００１００であり、無線システムフレーム５のシステムフレーム番号は０００００００１０１であり、無線システムフレーム６のシステムフレーム番号は０００００００１１０であり、および無線システムフレーム７のシステムフレーム番号は０００００００１１１である。
【０１２２】
無線システムフレーム０、無線システムフレーム２、無線システムフレーム４および無線システムフレーム６のシステムフレーム番号の間では、最下位ビットは同一で且つ０であり、最上位７ビットも同じである。従って、基地局は、第１のＭＩＢを用いて、システムフレーム番号のうちの残りのビット（最下位ビットおよび最上位７ビット）を送信し、各無線システムフレーム内で同一の第１のＭＩＢが送信されることを保証する。第１の処理方式は、システムフレーム番号のうちの一部のビット（２番目と３番目の最下位ビット）を暗黙的に示すために用いられる。
【０１２３】
無線システムフレーム１、無線システムフレーム３、無線システムフレーム５および無線システムフレーム７のシステムフレーム番号の間では、最下位ビットは同一で且つ１であり、最上位７ビットも同じである。従って、基地局は、第２のＭＩＢを用いて、システムフレーム番号のうちの残りのビット（最下位ビットおよび最上位７ビット）を送信し、各無線システムフレーム内で同一の第２のＭＩＢが送信されることを保証する。第１の処理方式は、システムフレーム番号のうちの一部のビット（２番目と３番目の最下位ビット）を暗黙的に示すために用いられる。
【０１２４】
随意の実施形態において、基地局は、４つの異なる処理方式で、第１のＭＩＢを個別に処理して、各処理方式に対応するトランスポートブロック（図３中のトランスポートブロック０、トランスポートブロック２、トランスポートブロック４またはトランスポートブロック６等）を取得してよい。第１のＭＩＢは、システムフレーム番号のうちの残りのビット（残りのビットとは、最上位７ビットおよび最下位ビットであり、最下位ビットは０である）を保持する。処理方式は、システムフレーム番号のうちの一部のビット（２番目と３番目の最下位ビット）を暗黙的に示すために用いられる。
【０１２５】
例えば、トランスポートブロック０で用いられる処理方式０で暗黙的に示される一部のビットは００であり、トランスポートブロック２で用いられる処理方式２で暗黙的に示される一部のビットは０１であり、トランスポートブロック４で用いられる処理方式４で暗黙的に示される一部のビットは１０であり、トランスポートブロック６で用いられる処理方式６で暗黙的に示される一部のビットは１１である。
【０１２６】
随意の実施形態において、基地局は、４つの異なる処理方式で、第２のＭＩＢを個別に処理して、各処理方式に対応するトランスポートブロック（図３中のトランスポートブロック１、トランスポートブロック３、トランスポートブロック５またはトランスポートブロック７等）を取得してよい。第２のＭＩＢは、システムフレーム番号のうちの残りのビット（残りのビットとは、最上位７ビットおよび最下位ビットであり、最下位ビットは１である）を保持する。処理方式は、システムフレーム番号のうちの一部のビット（２番目と３番目の最下位ビット）を暗黙的に示すために用いられる。
【０１２７】
例えば、トランスポートブロック１で用いられる処理方式１で暗黙的に示される一部のビットは００であり、トランスポートブロック３で用いられる処理方式３で暗黙的に示される一部のビットは０１であり、トランスポートブロック５で用いられる処理方式５で暗黙的に示される一部のビットは１０であり、トランスポートブロック７で用いられる処理方式７で暗黙的に示される一部のビットは１１である。
【０１２８】
随意で、トランスポートブロック０およびトランスポートブロック１で用いられる２つの処理方式は両方共、システムフレーム番号のうちの一部のビットは００であることを暗黙的に示すので、トランスポートブロック０で用いられる処理方式０は、トランスポートブロック１で用いられる処理方式１と同じであってよい。同様に、トランスポートブロック２で用いられる処理方式２は、トランスポートブロック３で用いられる処理方式３と同じであってよく、トランスポートブロック４で用いられる処理方式４は、トランスポートブロック５で用いられる処理方式５と同じであってよく、トランスポートブロック６で用いられる処理方式６は、トランスポートブロック７で用いられる処理方式７と同じであってよい。
【０１２９】
例えば、第１の処理方式がスクランブリングである場合、基地局は、スクランブリング方式１で第１のＭＩＢをスクランブリングしてトランスポートブロック０を取得してよく、および、スクランブリング方式１で第２のＭＩＢをスクランブリングしてトランスポートブロック１を取得してよく、スクランブリング方式１は、一部のビットが００であることを暗黙的に示すために用いられる。基地局は、スクランブリング方式２で第１のＭＩＢをスクランブリングしてトランスポートブロック２を取得してよく、および、スクランブリング方式２で第２のＭＩＢをスクランブリングしてトランスポートブロック３を取得してよく、スクランブリング方式２は、一部のビットが０１であることを暗黙的に示すために用いられる。基地局は、スクランブリング方式３で第１のＭＩＢをスクランブリングしてトランスポートブロック４を取得してよく、および、スクランブリング方式３で第２のＭＩＢをスクランブリングしてトランスポートブロック５を取得してよく、スクランブリング方式３は、一部のビットが１０であることを暗黙的に示すために用いられる。基地局は、スクランブリング方式４で第１のＭＩＢをスクランブリングしてトランスポートブロック６を取得してよく、および、スクランブリング方式４で第２のＭＩＢをスクランブリングしてトランスポートブロック７を取得してよく、スクランブリング方式４は、一部のビットが１１であることを暗黙的に示すために用いられる。
【０１３０】
このようにして、基地局は、４つの処理方式で第１のＭＩＢを処理して、トランスポートブロック０、トランスポートブロック２、トランスポートブロック４およびトランスポートブロック６を取得し、および、同一の４つの処理方式で第２のＭＩＢを処理して、トランスポートブロック１、トランスポートブロック３、トランスポートブロック５およびトランスポートブロック７を取得する。従って、基地局の計算の複雑さが低減される。
【０１３１】
これに応じて、ＵＥは、４つのスクランブリング方式のみで受信されたトランスポートブロックに対し、ブラインド検出を実行する必要がある。トランスポートブロックが処理方式０を用いていることが検出されると、一部のビットは００であると決定されてよい。トランスポートブロックが処理方式２を用いていることが検出されると、一部のビットは０１であると決定されてよい。トランスポートブロックが処理方式４を用いていることが検出されると、一部のビットは１０であると決定されてよい。トランスポートブロックが処理方式６を用いていることが検出されると、一部のビットは１１であると決定されてよい。従って、ＵＥの検出の複雑さが低減される。
【０１３２】
具体的には、第１のＭＩＢを用いて送信される、システムフレーム番号の最下位ビット、第２のＭＩＢを用いて送信されるシステムフレーム番号の最下位ビット、および第１の処理方式で暗黙的に示されるシステムフレーム番号の２番目と３番目の最下位ビットに基づき、基地局は、無線システムフレームのシステムフレーム番号の最下位３ビット、および無線システムフレームのシステムフレーム番号の最下位３ビットと、当該無線システムフレームで送信されるトランスポートブロックとの間のマッピング関係を決定してよい。
【０１３３】
例えば、無線システムフレーム０のシステムフレーム番号の最下位３ビットは０００であり、トランスポートブロック０に対応し、無線システムフレーム１のシステムフレーム番号の最下位３ビットは００１であり、トランスポートブロック１に対応し、無線システムフレーム２のシステムフレーム番号の最下位３ビットは０１０であり、トランスポートブロック２に対応し、無線システムフレーム３のシステムフレーム番号の最下位３ビットは０１１であり、トランスポートブロック３に対応し、無線システムフレーム４のシステムフレーム番号の最下位３ビットは１００であり、トランスポートブロック４に対応し、無線システムフレーム５のシステムフレーム番号の最下位３ビットは１０１であり、トランスポートブロック５に対応し、無線システムフレーム６のシステムフレーム番号の最下位３ビットは１１０であり、トランスポートブロック６に対応し、無線システムフレーム７のシステムフレーム番号の最下位３ビットは１１１であり、トランスポートブロック７に対応する。
【０１３４】
従って、基地局は、無線システムフレーム０で、ＰＢＣＨを用いてトランスポートブロック０を、無線システムフレーム１で、ＰＢＣＨを用いてトランスポートブロック１を、無線システムフレーム２で、ＰＢＣＨを用いてトランスポートブロック２を、無線システムフレーム３で、ＰＢＣＨを用いてトランスポートブロック３を、無線システムフレーム４で、ＰＢＣＨを用いてトランスポートブロック４を、無線システムフレーム５で、ＰＢＣＨを用いてトランスポートブロック５を、無線システムフレーム６で、ＰＢＣＨを用いてトランスポートブロック６を、および無線システムフレーム７で、ＰＢＣＨを用いてトランスポートブロック７を送信する。
【０１３５】
随意で、本願のこの実施形態における当該一部のビットは、最下位３ビットであってよい。無線システムフレームのシステムフレーム番号の長さが１０ビットである場合、基地局は、第１の処理方式で第１のＭＩＢを処理して、第１のトランスポートブロックを取得してよい。第１の処理方式は、無線システムフレームのシステムフレーム番号のうちの一部のビット（具体的に言うと、最下位３ビット）を暗黙的に示すために用いられる。第１のＭＩＢは、無線システムフレームのシステムフレーム番号のうちの当該一部のビット以外の残りのビット（具体的に言うと、最上位７ビット）を含む。
【０１３６】
これに応じて、無線システムフレームのシステムフレーム番号のうちの最上位７ビット（例えば、ＳＦＮの最上位７ビット）は、ＰＢＣＨでＵＥに対し示され、無線システムフレームのシステムフレーム番号のうちの最下位３ビット（例えば、ＳＦＮの最下位３ビット）は、ＰＢＣＨの第１の処理方式をデコーディングすることで、ＵＥに対し暗黙的に示される。
【０１３７】
説明の便宜上、本願のこの実施形態において、一部のビットの位置におけるビットは、一部のビットと総称され、システムフレーム番号のうちの当該一部のビット以外のビットは、残りのビットと総称される。
【０１３８】
以下に、基地局により、ＳＳバーストセットの異なる周期において、ＰＢＣＨを用いて、同一の処理方式（第１の処理方式では、システムフレーム番号の最下位３ビットが暗黙的に示される）で、ＳＦＮを送信する方法について、図４を参照して詳細に説明する。
【０１３９】
図４は、ＰＢＣＨの６つのＴＴＩ（図４に示されるＴＴＩ１、ＴＴＩ２、ＴＴＩ３、ＴＴＩ４、ＴＴＩ５、およびＴＴＩ６等が）を示す。各ＴＴＩは、８０ｍｓの長さを有し、８個の無線システムフレーム（図４に示される無線システムフレーム０から無線システムフレーム７等）を含む。例えば、ＴＴＩ１のＳＳバーストセットの周期は５ｍｓであり、ＴＴＩ２のＳＳバーストセットの周期は１０ｍｓであり、ＴＴＩ３のＳＳバーストセットの周期は２０ｍｓであり、ＴＴＩ４のＳＳバーストセットの周期は４０ｍｓであり、ＴＴＩ５のＳＳバーストセットの周期は８０ｍｓであり、およびＴＴＩ６のＳＳバーストセットの周期は１６０ｍｓである。
【０１４０】
本願のこの実施形態において、ＴＴＩ１、ＴＴＩ２、ＴＴＩ３、ＴＴＩ４、ＴＴＩ５およびＴＴＩ６の各々は、任意のＰＢＣＨのＴＴＩであることを理解されたい。基地局は、各ＴＴＩにおいて、異なるＳＳバーストセットにて、ＰＢＣＨを用いてＳＦＮを送信する。ＴＴＩのシーケンス番号は、ＳＦＮが、ＳＳバーストセットの異なる周期で送信されるＴＴＩを区別するためにのみ用いられる。本願のこの実施形態において、ＴＴＩ１からＴＴＩ６までのシーケンスに限定されるものではない。
【０１４１】
各ＴＴＩは８個の無線システムフレームを含み、各ＴＴＩにおいて、システムフレーム番号nfがnf mod 8=0を満たす無線システムフレームが、当該ＴＴＩのＳＳバーストセットの周期の初期無線システムフレームとして用いられることを理解されたい。
【０１４２】
以下に、ＳＳバーストセットの異なる周期において、ＰＢＣＨを用いてＳＦＮを送信する方法について、詳細に説明する。
【０１４３】
（１）ＴＴＩ２において、ＳＳバーストセットの周期は１０ｍｓであり、基地局は、無線システムフレーム０から無線システムフレーム７までで、ＰＢＣＨを送信することで、無線システムフレームのシステムフレーム番号を個別に送信する。
【０１４４】
例えば、無線システムフレーム０のシステムフレーム番号は００００００００００であり、無線システムフレーム１のシステムフレーム番号は０００００００００１であり、無線システムフレーム２のシステムフレーム番号は００００００００１０であり、無線システムフレーム３のシステムフレーム番号は００００００００１１であり、無線システムフレーム４のシステムフレーム番号は０００００００１００であり、無線システムフレーム５のシステムフレーム番号は０００００００１０１であり、無線システムフレーム６のシステムフレーム番号は０００００００１１０であり、および無線システムフレーム７のシステムフレーム番号は０００００００１１１である。
【０１４５】
無線システムフレーム０から無線システムフレーム７までのシステムフレーム番号では、最上位７ビットは同一である。従って、基地局は、第１のＭＩＢを用いて、システムフレーム番号のうちの残りのビット（最上位７ビット）を送信して、各無線システムフレーム内で同一の第１のＭＩＢが送信されることを保証する。第１の処理方式は、システムフレーム番号のうちの一部のビット（最下位３ビット）を暗黙的に示すために用いられる。
【０１４６】
随意の実施形態において、基地局は、８つの異なる処理方式で、第１のＭＩＢを個別に処理して、各処理方式に対応するトランスポートブロック（図４中のトランスポートブロック０からトランスポートブロック７まで等）を取得してよい。第１のＭＩＢは、システムフレーム番号のうちの残りのビット（最上位７ビット）を含む。処理方式は、システムフレーム番号のうちの一部のビット（最下位３ビット）を暗黙的に示すために用いられる。
【０１４７】
具体的には、基地局は、第１の処理方式で暗黙的に示されるシステムフレーム番号のうちの最下位３ビットに基づき、無線システムフレームのシステムフレーム番号の最下位３ビットと、当該無線システムフレームで送信されるトランスポートブロックとの間のマッピング関係を決定してよい。
【０１４８】
例えば、無線システムフレーム０のシステムフレーム番号の最下位３ビットは０００であり、トランスポートブロック０に対応し、無線システムフレーム１のシステムフレーム番号の最下位３ビットは００１であり、トランスポートブロック１に対応し、無線システムフレーム２のシステムフレーム番号の最下位３ビットは０１０であり、トランスポートブロック２に対応し、無線システムフレーム３のシステムフレーム番号の最下位３ビットは０１１であり、トランスポートブロック３に対応し、無線システムフレーム４のシステムフレーム番号の最下位３ビットは１００であり、トランスポートブロック４に対応し、無線システムフレーム５のシステムフレーム番号の最下位３ビットは１０１であり、トランスポートブロック５に対応し、無線システムフレーム６のシステムフレーム番号の最下位３ビットは１１０であり、トランスポートブロック６に対応し、無線システムフレーム７のシステムフレーム番号の最下位３ビットは１１１であり、トランスポートブロック７に対応する。
【０１４９】
従って、基地局は、無線システムフレーム０で、ＰＢＣＨを用いてトランスポートブロック０を、無線システムフレーム１で、ＰＢＣＨを用いてトランスポートブロック１を、無線システムフレーム２で、ＰＢＣＨを用いてトランスポートブロック２を、無線システムフレーム３で、ＰＢＣＨを用いてトランスポートブロック３を、無線システムフレーム４で、ＰＢＣＨを用いてトランスポートブロック４を、無線システムフレーム５で、ＰＢＣＨを用いてトランスポートブロック５を、無線システムフレーム６で、ＰＢＣＨを用いてトランスポートブロック６を、および無線システムフレーム７、ＰＢＣＨを用いてトランスポートブロック７を送信する。
【０１５０】
本願のこの実施形態で提供される通信方法においては、システムフレーム番号の最下位３ビットは、第１の処理方式で暗黙的に示される。従って、送信データ量を低減可能で、送信効率が向上する。
【０１５１】
（２）ＴＴＩ３において、ＳＳバーストセットの周期は２０ｍｓであり、基地局は、無線システムフレーム０、無線システムフレーム２、無線システムフレーム４および無線システムフレーム６で、ＰＢＣＨを用いて、ＳＦＮを個別に送信する。
【０１５２】
具体的には、基地局は、第１の処理方式で暗黙的に示されるシステムフレーム番号のうちの最下位３ビットに基づき、無線システムフレームのシステムフレーム番号のうちの最下位３ビットと、当該無線システムフレームで送信されるトランスポートブロックとの間のマッピング関係を決定してよい。
【０１５３】
例えば、無線システムフレーム０のシステムフレーム番号の最下位３ビットは０００であり、トランスポートブロック０に対応し、無線システムフレーム２のシステムフレーム番号の最下位３ビットは０１０であり、トランスポートブロック２に対応し、無線システムフレーム４のシステムフレーム番号の最下位３ビットは１００であり、トランスポートブロック４に対応し、無線システムフレーム６のシステムフレーム番号の最下位３ビットは１１０であり、トランスポートブロック６に対応する。
【０１５４】
従って、基地局は、無線システムフレーム０で、ＰＢＣＨを用いてトランスポートブロック０を、無線システムフレーム２で、ＰＢＣＨを用いてトランスポートブロック２を、無線システムフレーム４で、ＰＢＣＨを用いてトランスポートブロック４を、および無線システムフレーム６で、ＰＢＣＨを用いてトランスポートブロック６を送信する。
【０１５５】
ＳＳバーストセットの周期が２０ｍｓの場合に、無線システムフレーム０、無線システムフレーム２、無線システムフレーム４および無線システムフレーム６で、ＰＢＣＨを用いてＳＦＮを送信する方法は、ＳＳバーストセットの周期が１０ｍｓの場合に、無線システムフレーム０、無線システムフレーム２、無線システムフレーム４および無線システムフレーム６で、ＰＢＣＨを用いてＳＦＮを送信する方法と同一であることを理解されたい。
【０１５６】
ＴＴＩ２において、ＳＳバーストセットの周期が第１の周期（例えば、１０ｍｓ）であると仮定する。第１のＰＢＣＨが配置された無線システムフレームのシステムフレーム番号が００１１０１０００１である（具体的に言うと、ＴＴＩ２における無線システムフレーム１）場合、基地局は、第１の処理方式で第１のＭＩＢを処理して、第１のトランスポートブロックを取得する。第１の処理方式は、第１のＰＢＣＨが配置された無線システムフレームのシステムフレーム番号のうちの最下位３ビット（例えば、下線付きの３ビット）を示すために用いられる。第１のＭＩＢは、第１のＰＢＣＨが配置された無線システムフレームのシステムフレーム番号のうち、００１１０１０（最上位７ビット）を含む。
【０１５７】
ＴＴＩ３において、ＳＳバーストセットの周期が第２の周期（例えば、２０ｍｓ）であると仮定する。第２のＰＢＣＨが配置された無線システムフレームのシステムフレーム番号が０１１０１１０００１である（具体的に言うと、ＴＴＩ３における無線システムフレーム１）場合、基地局は、第２の処理方式で第２のＭＩＢを処理して、第２のトランスポートブロックを取得する。第２の処理方式は、第２のＰＢＣＨが配置された無線システムフレームのシステムフレーム番号のうち、最下位３ビット（例えば、下線付きの３ビット）を示すために用いられる。第２のＭＩＢは、第２のＰＢＣＨが配置された無線システムフレームのシステムフレーム番号のうち、０１１０１１０（最上位７ビット）を含む。第２のＰＢＣＨが配置された無線システムフレームのシステムフレーム番号が０１１０１１００１０である（具体的に言うと、ＴＴＩ３における無線システムフレーム２）場合、基地局は、第２の処理方式で第２のＭＩＢを処理して、第２のトランスポートブロックを取得する。第２の処理方式は、第２のＰＢＣＨが配置された無線システムフレームのシステムフレーム番号のうちの最下位３ビット（例えば、下線付きの３ビット）を示すために用いられる。第２のＭＩＢは、第２のＰＢＣＨが配置された無線システムフレームのシステムフレーム番号のうち、０１１０１１０（最上位７ビット）を含む。
【０１５８】
従って、異なる周期において、ＰＢＣＨを用いて送信されたシステムフレーム番号が同一であるか異なるかに関わらず、基地局は、統一された方法で、ＰＢＣＨを用いてＳＦＮを送信してよい。従って、基地局とＵＥとの複雑さが低減されてよい。
【０１５９】
（３）ＴＴＩ４において、ＳＳバーストセットの周期は４０ｍｓであり、基地局は、無線システムフレーム０および無線システムフレーム４で、ＰＢＣＨを用いてＳＦＮを個別に送信する。
【０１６０】
具体的には、基地局は、第１の処理方式で暗黙的に示されたシステムフレーム番号のうちの最下位３ビットに基づき、無線システムフレームのシステムフレーム番号のうちの最下位３ビットと、当該無線システムフレームで送信されるトランスポートブロックとの間のマッピング関係を決定してよい。
【０１６１】
例えば、無線システムフレーム０のシステムフレーム番号の最下位３ビットは０００であり、トランスポートブロック０に対応し、無線システムフレーム４のシステムフレーム番号の最下位３ビットは１００であり、トランスポートブロック４に対応する。
【０１６２】
従って、基地局は、無線システムフレーム０で、ＰＢＣＨを用いてトランスポートブロック０を、無線システムフレーム４で、ＰＢＣＨを用いてトランスポートブロック４を送信する。
【０１６３】
ＳＳバーストセットの周期が４０ｍｓの場合に、無線システムフレーム０および無線システムフレーム４で、ＰＢＣＨを用いてＳＦＮを送信する方法は、ＳＳバーストセットの周期が１０ｍｓの場合に、無線システムフレーム０および無線システムフレーム４で、ＰＢＣＨを用いてＳＦＮを送信する方法と同一であることを理解されたい。繰り返しを避けるため、詳細について、ここで再度説明はしない。
【０１６４】
（４）ＴＴＩ５において、ＳＳバーストセットの周期は８０ｍｓであり、基地局は、無線システムフレーム０で、ＰＢＣＨを用いてＳＦＮを送信する。
【０１６５】
具体的には、基地局は、第１の処理方式で暗黙的に示されたシステムフレーム番号のうちの最下位３ビットに基づき、無線システムフレームのシステムフレーム番号のうちの最下位３ビットと、当該無線システムフレームで送信されるトランスポートブロックとの間のマッピング関係を決定してよい。
【０１６６】
例えば、無線システムフレーム０のシステムフレーム番号の最下位３ビットは０００であり、トランスポートブロック０に対応する。基地局は、無線システムフレーム０で、ＰＢＣＨを用いてトランスポートブロック０を送信する。
【０１６７】
ＳＳバーストセットの周期が８０ｍｓの場合に、無線システムフレーム０で、ＰＢＣＨを用いてＳＦＮを送信する方法は、ＳＳバーストセットの周期が１０ｍｓの場合に、無線システムフレーム０で、ＰＢＣＨを用いてＳＦＮを送信する方法と同一であることを理解されたい。繰り返しを避けるため、詳細について、ここで再度説明はしない。
【０１６８】
（５）ＴＴＩ６において、ＳＳバーストセットの周期は１６０ｍｓであり、基地局は、無線システムフレーム０で、ＰＢＣＨを用いてＳＦＮを送信し、および、基地局は、ＴＴＩ６からもう１つのＴＴＩだけ間隔を置いた、もう１つ次のＴＴＩでＰＢＣＨを用いて次のＳＦＮを送信する。
【０１６９】
具体的に、基地局は、第１の処理方式で第１のＭＩＢを処理して、第１のトランスポートブロックを取得してよい。第１の処理方式は、暗黙的にＰＢＣＨを示す。
【０１７０】
例えば、無線システムフレーム０のシステムフレーム番号の最下位３ビットは０００であり、トランスポートブロック０に対応する。基地局は、無線システムフレーム０で、ＰＢＣＨを用いてトランスポートブロック０を送信する。
【０１７１】
ＳＳバーストセットの周期が１６０ｍｓの場合に、無線システムフレーム０で、ＰＢＣＨを用いてＳＦＮを送信する方法は、ＳＳバーストセットの周期が１０ｍｓの場合に、無線システムフレーム０で、ＰＢＣＨを用いてＳＦＮを送信する方法と同一であることを理解されたい。繰り返しを避けるため、詳細について、ここで再度説明はしない。
【０１７２】
（６）ＴＴＩ１において、ＳＳバーストセットの周期は５ｍｓであり、基地局は、無線システムフレーム０から無線システムフレーム７までで、ＰＢＣＨを用いてＳＦＮを送信し、各無線システムフレームで複数のＳＳブロックを送信する。具体的に言うと、複数のＳＳブロックは、第１のハーフフレームおよび第２のハーフフレームでそれぞれ送信される。第１のハーフフレームで送信されるＳＳブロックおよび第２のハーフフレームで送信されるＳＳブロックの両方がＰＢＣＨを含んでよい、あるいは、１つのＳＳブロックのみがＰＢＣＨを含む。第１のハーフフレームおよび第２のハーフフレームの両方が、同一の無線システムフレームに配置されているので、第１のハーフフレームで送信されるＳＳブロック内のＳＦＮは、第２のハーフフレームで送信されるＳＳブロック内のＳＦＮと同一である。
【０１７３】
ＳＳバーストセットの周期が５ｍｓの場合に、無線システムフレーム０から無線システムフレーム７までで、ＰＢＣＨを用いてＳＦＮを送信する方法は、ＳＳバーストセットの周期が１０ｍｓの場合に、無線システムフレーム０から無線システムフレーム７までで、ＰＢＣＨを用いてＳＦＮを送信する方法と同一であることを理解されたい。繰り返しを避けるため、詳細について、ここで再度説明はしない。
【０１７４】
本願のこの実施形態で提供される通信方法では、基地局は、ＳＳバーストセットの２または２より多い異なる周期において、ＳＳバーストセットの周期ごとに対応するＳＦＮ送信方法を必要とせず、第１のＭＩＢを用いて、システムフレーム番号のうちの最上位７ビットを送信し、第１のＭＩＢを処理するために用いられる第１の処理方式は、システムフレーム番号のうちの最下位３ビットを暗黙的に示す。従って、基地局およびＵＥの計算の複雑さが低減可能であり、ＵＥによるＳＦＮの検出の複雑さが低減される。
【０１７５】
随意で、ＳＳバーストセットの周期が、ＳＳバーストセットが配置される無線システムフレームの長さの半分である場合、基地局は、１つの無線システムフレームで２つのＳＳブロックを送信する必要がある。具体的に言うと、基地局は、第１のハーフフレームで１つのＳＳブロックを、および／または、第２のハーフフレームで１つのＳＳブロックを送信する必要がある。従って、基地局は、ＳＳブロックのハーフフレーム情報をＵＥに示す必要がある。ハーフフレーム情報は、ＳＳブロックが第１のハーフフレームまたは第２のハーフフレームで送信されることを示すために用いられる。
【０１７６】
随意で、基地局は、複数の方式で、ハーフフレーム情報を示してよい。このことは、本願のこの実施形態において限定されるものではない。
【０１７７】
随意の実施形態において、基地局は、第１の処理方式で第１のＭＩＢを処理することで取得されたトランスポートブロックに、１ビットの指示情報を追加して、ハーフフレーム情報を示してよい。
【０１７８】
例えば、当該１ビットのビット値は０であり、これに応じて、ＳＳブロックは第１のハーフフレームで送信される。当該１ビットのビット値は１であり、これに応じて、ＳＳブロックは第２のハーフフレームで送信される。
【０１７９】
随意の実施形態において、基地局は、異なる復調参照信号（ＤＭＲＳ）シーケンスを用いて、ハーフフレーム情報を示してよく、または、ＤＭＲＳシーケンスの異なる周波数オフセットを用いて、ハーフフレーム情報を示してよい。
【０１８０】
例えば、基地局およびＵＥは、第１のＤＭＲＳシーケンスを用いて、ＳＳブロックが第１のハーフフレームで送信されることを示すこと、および、第２のＤＭＲＳシーケンスを用いて、ＳＳブロックが第２のハーフフレームで送信されることを示すことに、事前に合意しておいてよい。
【０１８１】
別の例では、基地局およびＵＥは、第１のＤＭＲＳシーケンスの第１の周波数オフセットを用いて、ＳＳブロックが第１のハーフフレームで送信されることを示すこと、および、第１のＤＭＲＳシーケンスの第２の周波数オフセットを用いて、ＳＳブロックが第２のハーフフレームで送信されることを示すことに、事前に合意しておいてよい。
【０１８２】
随意で、ＵＥおよび基地局は、ハーフフレーム情報と、ＤＭＲＳシーケンスおよび／またはＤＭＲＳシーケンスの周波数オフセットとの間の対応関係について、プロトコルにより合意してよい。代替的に、基地局は、より上位のレイヤのシグナリングを用いて、ハーフフレーム情報と、ＤＭＲＳシーケンスおよび／またはＤＭＲＳシーケンスの周波数オフセットとの間の対応関係をＵＥに対し示してよい。このことは、本願のこの実施形態において限定されるものではない。
【０１８３】
随意の実施形態において、基地局は、ＳＳブロックに含まれるＰＢＣＨが占有する第１のシンボルおよび第２のシンボルの位置を用いて、ハーフフレーム情報を示してよい。
【０１８４】
随意の実施形態において、基地局は、ＳＳブロック内に含まれる内容を用いてハーフフレーム情報を示してよい。
【０１８５】
例えば、基地局およびＵＥは、ＳＳブロックがＰＢＣＨを含むかどうかに基づき、ＳＳブロックが第１のハーフフレームまたは第２のハーフフレームで送信されるかどうかを示すことに、事前に合意していてよい。
【０１８６】
随意の実施形態において、基地局は、第１のＭＩＢ内で予約ビットを用いて、ハーフフレーム情報を示してよい。代替的に、基地局は、第１のＭＩＢ内のビットを再利用して、ハーフフレーム情報を示してよい。例えば、基地局は、第１のＭＩＢ内のＳＳブロックを示すために用いられるビット、または、第１のＭＩＢ内のＳＳバーストセットの周期を示すために用いられるビットを再利用してよい。このことは、本願のこの実施形態において限定されるものではない。
【０１８７】
本願のこの実施形態で提供される通信方法においては、ＵＥがより細かい粒度でシステムフレーム番号を取得できるように、基地局は、複数の異なる方式でＳＳブロックのハーフフレーム情報を示す。
【０１８８】
随意で、基地局は、ＳＳバーストセットの各周期において、１つの無線フレームのみでＳＳバーストを送信してよく、さらには当該無線フレームの各ハーフフレームでＳＳバーストを送信してよい。例えば、図５および図４に示される各ＰＢＣＨは、１つのＳＳバーストに含まれてよい。
【０１８９】
基地局は、ＳＳバーストセットの各周期において、各無線フレームでＳＳバーストを送信してよく、さらには各無線フレームの各ハーフフレームでＳＳバーストを送信してよいことをさらに理解されたい。ＳＳバーストセットの周期におけるすべてのＳＳバーストが、ＳＳバーストセットを形成する。
【０１９０】
例えば、図５は、ＳＳバーストを含むＳＳバーストセットの周期に含まれる各無線フレームの概略図である。図５に示される通り、ＴＴＩ１のＳＳバーストセットの周期は２０ｍｓであり、ＳＳバーストセットは、２つのＳＳバースト（換言すると、第１のＳＳバーストおよび第２のＳＳバースト）を含む。第１のＳＳバーストは、周期２０ｍｓにおける第１の１０ｍｓの無線フレームで送信され、第２のＳＳバーストは、周期２０ｍｓにおける第２の１０ｍｓの無線フレームで送信される。ＴＴＩ２におけるＳＳバーストセットの周期は、２０ｍｓである。ＳＳバーストセットは、４つのＳＳバースト（換言すると、第１のＳＳバースト、第２のＳＳバースト、第３のＳＳバーストおよび第４のＳＳバースト）を含む。第１のＳＳバーストは、周期２０ｍｓにおける第１の１０ｍｓ無線フレームの第１のハーフフレームで送信され、第２のＳＳバーストは、周期２０ｍｓにおける第１の１０ｍｓ無線フレームの第２のハーフフレームで送信され、第３のＳＳバーストは、周期２０ｍｓにおける第２の１０ｍｓ無線フレームの第１のハーフフレームで送信され、第４のＳＳバーストは、周期２０ｍｓにおける第２の１０ｍｓ無線フレームの第２のハーフフレームで送信される。
【０１９１】
１つの無線フレームのＳＳバーストで送信されるシステムフレーム番号は同一であり、各無線システムフレームでＳＳバーストを用いてＳＦＮを送信する方法は、図２から図４に説明された、各無線フレームでＰＢＣＨを用いてＳＦＮを送信する方法に類似することを理解されたい。繰り返しを避けるべく、詳細について、ここで再度説明はしない。
【０１９２】
図６は、本願の一実施形態によるデータ送信のための通信装置６００の概略ブロック図である。通信装置６００は、送信されるべき第１の物理ブロードキャストチャネル（ＰＢＣＨ）が配置される無線システムフレームのシステムフレーム番号を決定するよう構成された決定ユニット６１０であって、第１のＰＢＣＨは第１の同期信号バーストセット（ＳＳ  ｂｕｒｓｔ  ｓｅｔ）に含まれ、第１のＳＳバーストセットの周期は、複数の周期の１つである、決定ユニット６１０と、第１の処理方式で第１のマスタ情報ブロック（ＭＩＢ）を処理して、第１のトランスポートブロックを取得するよう構成された処理ユニット６２０であって、第１の処理方式は、第１のＰＢＣＨが配置される無線システムフレームのシステムフレーム番号のうちの一部のビットを示すために用いられ、当該一部のビットは、決定ユニット６１０によって決定され、第１のＭＩＢは、第１のＰＢＣＨが配置される無線システムフレームのシステムフレーム番号のうちの当該一部のビット以外の残りのビットを含む、処理ユニット６２０と、処理ユニット６２０による処理を通して取得された第１のトランスポートブロックを、第１のＰＢＣＨが配置される無線システムフレームで、第１のＰＢＣＨを用いて送信するよう構成された送信ユニット６３０と、を含む。
【０１９３】
随意で、第１のＰＢＣＨは、第１の送信時間間隔（ＴＴＩ）で送信され、第１のＳＳバーストセットの周期は、第１のＴＴＩにおける複数の周期のうちの第１の周期であり、決定ユニットは、さらに、第２のＴＴＩで送信されるべき第２のＰＢＣＨが配置される無線システムフレームのシステムフレーム番号を決定するよう構成されており、第２のＰＢＣＨは、第２のＳＳバーストセット内に含まれ、第２のＳＳバーストセットの周期は、当該複数の周期のうちの第２の周期である。処理ユニットは、さらに、第１の処理方式で第２のＭＩＢを処理して、第２のトランスポートブロックを取得するよう構成されてより、第１の処理方式は、第２のＰＢＣＨが配置される無線システムフレームのシステムフレーム番号のうちの一部のビットを示すために用いられ、第２のＭＩＢは、第２のＰＢＣＨが配置される無線システムフレームのシステムフレーム番号のうちの当該一部のビット以外の残りのビットを含む。送信ユニットは、さらに、第２のＰＢＣＨが配置される無線システムフレームで、第２のＰＢＣＨを用いて、第２のトランスポートブロックを送信するよう構成されている。
【０１９４】
随意で、一部のビットは、２番目と３番目の最下位ビットを含む。
【０１９５】
随意で、一部のビットは、最下位３ビットを含む。
【０１９６】
随意で、第１の処理方式は、巡回冗長検査（ＣＲＣ）、巡回シフトおよびスクランブリングのうち少なくとも１つを含む。
【０１９７】
本願は、ＳＦＮがＳＳバーストセットの異なる周期においてＰＢＣＨを用いて、ＳＦＮが送信され得る通信方法および通信装置を提供する。
【０１９８】
また、基地局は、ＳＳバーストセットの２または２より多い異なる周期において、ＳＳバーストセットの周期ごとに対応するＳＦＮ送信方法を必要とせず、第１のＭＩＢを用いて、システムフレーム番号のうちの残りのビットを送信し、第１のＭＩＢを処理するために用いられる第１の処理方式は、システムフレーム番号のうちの一部のビットを暗黙的に示す。従って、基地局およびＵＥの計算の複雑さが低減可能であり、ＵＥによるＳＦＮの検出の複雑さが低減される。
【０１９９】
随意の例において、当業者は、通信装置６００は、上述の方法の実施形態において、具体的にはネットワークデバイスであってよいことを理解してよい。通信装置６００は、上述の方法の実施形態において、ネットワークデバイスに対応するプロシージャおよび／または段階を実行するよう構成されてよい。繰り返しを避けるべく、詳細については、ここで再度説明はしない。
【０２００】
本明細書において、通信装置６００は、機能ユニットの形態であってよいことを理解されたい。本明細書での「ユニット」という用語は、ＡＳＩＣ、電子回路、プロセッサ（共有プロセッサ、専用プロセッサ、またはグループプロセッサ等）および、１または複数のソフトウェアプログラム若しくはファームウェアプログラムを実行するために用いられるメモリ、組み合わせ論理回路および／または説明した機能をサポートする別の適切なコンポーネントであってよい。
【０２０１】
図７は、本願の一実施形態によるデータ送信のための別の通信装置７００の概略ブロック図である。通信装置７００は、物理ブロードキャストチャネル（ＰＢＣＨ）を用いて、ネットワークデバイスにより送信されるトランスポートブロックを取得するよう構成された取得ユニット７１０であって、ＰＢＣＨは、同期信号バーストセット（ＳＳ  ｂｕｒｓｔ  ｓｅｔ）内に含まれ、ＳＳバーストセットの周期は、複数の周期のうちの１つである、取得ユニット７１０と、取得ユニット７１０によって取得されたトランスポートブロックを第１の処理方式で処理して、マスタ情報ブロック（ＭＩＢ）を取得し、且つ、当該処理方式で、ＰＢＣＨが配置された無線システムフレームのシステムフレーム番号のうちの一部のビットの位置および当該一部のビットの位置におけるビットを取得するよう構成された処理ユニット７２０であって、ＭＩＢは、ＰＢＣＨが配置された無線システムフレームのシステムフレーム番号のうちの当該一部のビット以外の残りのビットを含む、処理ユニット７２０と、取得ユニット７１０による処理を通して取得された当該一部のビットおよび残りのビットに基づき、ＰＢＣＨが配置された無線システムフレームのシステムフレーム番号を決定するよう構成された決定ユニット７３０と、を含む。
【０２０２】
随意で、一部のビットは、２番目と３番目の最下位ビットを含む。
【０２０３】
随意で、一部のビットは、最下位３ビットを含む。
【０２０４】
随意で、処理方式は、巡回冗長検査（ＣＲＣ）、巡回シフトおよびデスクランブリングのうち少なくとも１つを含む。
【０２０５】
本願は、ＳＦＮがＳＳバーストセットの異なる周期において、ＰＢＣＨを用いてＳＦＮが送信され得る通信方法および通信装置を提供する。
【０２０６】
また、基地局は、ＳＳバーストセットの２または２より多い異なる周期において、ＳＳバーストセットの周期ごとに対応するＳＦＮ送信方法を必要とせず、ＭＩＢを用いて、システムフレーム番号のうちの残りのビットを送信し、ＭＩＢを処理するために用いられる処理方式は、システムフレーム番号のうちの一部のビットを暗黙的に示す。従って、基地局およびＵＥの計算の複雑さが低減可能であり、ＵＥによるＳＦＮの検出の複雑さが低減される。
【０２０７】
随意の例において、当業者は、通信装置７００は、上述の方法の実施形態において、具体的にはＵＥであってよいことを理解してよい。通信装置７００は、上述の方法の実施形態において、ＵＥに対応するプロシージャおよび／または段階を実行するよう構成されてよい。繰り返しを避けるべく、詳細については、ここで再度説明はしない。
【０２０８】
本明細書に置いて、通信装置７００は、機能ユニットの形態であってよいことを理解されたい。本明細書での「ユニット」という用語は、ＡＳＩＣ、電子回路、プロセッサ（共有プロセッサ、専用プロセッサ、またはグループプロセッサ等）、および、１または複数のソフトウェアプログラム若しくはファームウェアプログラムを実行するために用いられるメモリ。組み合わせ論理回路および／または説明した機能をサポートする別の適切なコンポーネントであってよい。
【０２０９】
図８は、本願の一実施形態によるデータ送信のためのさらなる別の通信装置８００の概略ブロック図である。通信装置８００は、プロセッサ８１０、送受信機８２０およびメモリ８３０を含む。プロセッサ８１０、送受信機８２０およびメモリ８３０は、内部接続チャネルを用いて互いに通信する。メモリ８３０は、命令を格納するよう構成されている。プロセッサ８１０は、送受信機８２０を制御して、信号を送信および／または受信させるべく、メモリ８３０内に格納された命令を実行するよう構成されている。随意で、装置内に含まれるプロセッサおよびメモリは、さらに、チップを用いて実装されてよい。
【０２１０】
プロセッサ８１０は、具体的に、送信されるべき第１のブロードキャストチャネルＰＢＣＨが配置された無線システムフレームのシステムフレーム番号を決定するよう構成されており、第１のＰＢＣＨは第１の同期信号バーストセット（ＳＳ  ｂｕｒｓｔ  ｓｅｔ）に含まれ、第１のＳＳバーストセットの周期は、複数の周期のうちの１つであり、第１の処理方式で第１のマスタ情報ブロック（ＭＩＢ）を処理して、第１のトランスポートブロックを取得するよう構成されており、第１の処理方式は、第１のＰＢＣＨが配置された無線システムフレームのシステムフレーム番号のうちの一部のビットを示すために用いられ、第１のＭＩＢは、第１のＰＢＣＨが配置された無線システムフレームのシステムフレーム番号のうちの当該一部のビット以外の残りのビットを含み、送受信機８２０を制御して、第１のＰＢＣＨが配置された無線システムフレームで、第１のＰＢＣＨを用いて第１のトランスポートブロックを送信させるよう構成されている。
【０２１１】
通信装置８００は、上述の実施形態において、具体的にネットワークデバイスであってよく、上述の方法において、ネットワークデバイスに対応する段階および／またはプロシージャを実行するよう構成されてよいことを理解されたい。随意で、メモリ８２０は、リードオンリメモリおよびランダムアクセスメモリを含んでよく、プロセッサに命令およびデータを提供してよい。メモリの一部は、さらに、不揮発性ランダムアクセスメモリを含んでよい。例えば、メモリは、さらに、デバイスタイプ情報を格納してよい。プロセッサ８１０は、メモリ内に格納された命令を実行するよう構成されてよい。メモリ内に格納された命令の実行時に、プロセッサ８１０は、上述の実施形態におけるネットワークデバイスに対応する段階および／またはプロシージャを実行するよう構成されている。
【０２１２】
本願のこの実施形態において、通信装置のプロセッサは、中央演算処理装置（central processing unit, CPU）であってよいことを理解されたい。代替的に、プロセッサは、別の汎用プロセッサ、デジタル信号プロセッサ（digital signal processor, DSP）、特定用途向け集積回路（application-specific integrated circuit, ASIC）、フィールドプログラマブルゲートアレイ（field-programmable gate array, FPGA）または別のプログラマブルロジックデバイス、ディスクリートゲート若しくはトランジスタロジックデバイス、ディスクリートハードウェア構成要素等であってよい。汎用プロセッサは、マイクロプロセッサであってよく、またはプロセッサは、任意の従来のプロセッサ等であってよい。
【０２１３】
図９は、本願の一実施形態によるデータ送信のためのさらなる別の通信装置９００の概略ブロック図である。通信装置９００は、プロセッサ９１０、送受信機９２０およびメモリ９３０を含む。プロセッサ９１０、送受信機９２０およびメモリ９３０は、内部接続チャネルを用いて互いに通信する。メモリ９３０は、命令を格納するよう構成されている。プロセッサ９１０は、送受信機９２０を制御して信号を送信および／または受信させるべく、メモリ９３０内に格納された命令を実行するよう構成されている。
【０２１４】
随意で、装置内に含まれるプロセッサおよびメモリは、さらにチップを用いて実装されてよい。
【０２１５】
プロセッサ９１０は、具体的に、送受信機９２０を制御して、ネットワークデバイスにより、物理ブロードキャストチャネル（ＰＢＣＨ）を用いて送信されるトランスポートブロックを取得させるよう構成されており、ＰＢＣＨは、同期信号バーストセット（ＳＳ  ｂｕｒｓｔ  ｓｅｔ）内に含まれ、ＳＳバーストセットの周期は、複数の周期のうちの１つであり、第１の処理方式でトランスポートブロックを処理して、マスタ情報ブロック（ＭＩＢ）を取得し、且つ、当該処理方式で、ＰＢＣＨが配置された無線システムフレームのシステムフレーム番号のうちの一部のビットの位置および当該一部のビットの位置におけるビット（以下、一部のビットという）を取得する、よう構成されており、ＭＩＢは、ＰＢＣＨが配置された無線システムフレームのシステムフレーム番号のうちの当該一部のビット以外の残りのビットを含み、および、当該一部のビットおよび残りのビットに基づき、ＰＢＣＨが配置された無線システムフレームのシステムフレーム番号を決定するよう構成されている。
【０２１６】
通信装置９００は、上述の実施形態において、具体的にＵＥであってよく、上述の方法において、ＵＥに対応する段階および／またはプロシージャを実行するよう構成されてよいことを理解されたい。随意で、メモリ９３０は、リードオンリメモリおよびランダムアクセスメモリを含んでよく、プロセッサに命令およびデータを提供してよい。メモリの一部は、さらに、不揮発性ランダムアクセスメモリを含んでよい。例えば、メモリは、さらに、デバイスタイプ情報を格納してよい。プロセッサ９１０は、メモリ内に格納された命令を実行するよう構成されてよい。メモリ内に格納された命令の実行時に、プロセッサ９１０は、上述の実施形態におけるＵＥに対応する段階および／またはプロシージャを実行するよう構成される。
【０２１７】
本願のこの実施形態において、プロセッサは、中央演算処理装置（CPU）であってよく、またはプロセッサは、別の汎用プロセッサ、デジタル信号プロセッサ（DSP）、特定用途向け集積回路（ASIC）、フィールドプログラマブルゲートアレイ（FPGA）または別のプログラマブルロジックデバイス、ディスクリートゲート若しくはトランジスタロジックデバイス、ディスクリートハードウェア構成要素等であってよいことを理解されたい。汎用プロセッサは、マイクロプロセッサであってよく、またはプロセッサは、任意の従来のプロセッサ等であってよい。
【０２１８】
当業者は、本明細書に開示した実施形態に記載の例を組み合わせると、ユニットおよびアルゴリズムの段階は、電子ハードウェア、または、コンピュータソフトウェアと電子ハードウェアとの組み合わせで実装されてよいことを認識するであろう。諸機能がハードウェアまたはソフトウェアで実行されるかどうかは、技術的解決手段の特定の用途および設計上の制約条件に依存する。当業者は、特定の用途ごとに、説明された諸機能を実装するために異なる方法を用いてよいが、当該実装が本願の範囲を超えるとみなされるべきではない。
【０２１９】
当業者は、上述のシステムの詳細な動作プロセスについては、説明を容易且つ簡潔にするために、通信装置およびユニットは、上述の方法の実施形態における対応するプロセスを指すことを明らかに理解できるだろう。詳細については、ここで再び説明はしない。
【０２２０】
本願で提供されるいくつかの実施形態において、開示されたシステム、通信装置および方法は、他の方式で実装されてよいことを理解されたい。例えば、説明された通信装置の実施形態は、一例に過ぎない。例えば、ユニットの分割は、論理的な機能分割に過ぎず、実際の実装においては、別の分割であってもよい。例えば、複数のユニットまたはコンポーネントは、組み合わされてよく、または、別のシステムに統合されてよく、あるいは、一部の機能が省略されてよく、または実行されなくてもよい。また、表示された、または説明された相互の連結若しくは直接的な連結または通信接続は、いくつかのインタフェースを通して実装されてよい。通信装置またはユニット間の間接的な連結または通信接続は、電子的、機械的、または他の形態で実装されてよい。
【０２２１】
個別の部分として記載されたユニットは、互いに、物理的に個別であっても、なくてもよく、ユニットとして表示された部分は、物理的なユニットであってもなくてもよく、１つの位置に配置されてよく、または、複数のネットワークユニットに分散されてもよい。実際の要件に従い、ユニットの一部または全部が選択されて、実施形態に係る解決手段の目的を実現してよい。
【０２２２】
また、本願の実施形態中の機能ユニットは、１つの処理ユニットに統合されてよく、または、当該ユニットの各々は、物理的に単独で存在してよく、または、２または２より多いユニットが１つのユニットに統合される。
【０２２３】
諸機能が、ソフトウェア機能ユニットの形態で実装され、独立したプロダクトとして販売または使用される場合、諸機能は、コンピュータ可読記憶媒体内に格納されてよい。かかる理解に基づき、先行技術に寄与する本願の不可欠な技術的解決手段またはその一部、あるいは技術的解決手段のうちいくつかは、ソフトウェアプロダクトの形態で実装されてよい。ソフトウェアプロダクトは、記憶媒体内に格納され、コンピュータデバイス（パーソナルコンピュータ、サーバ、ネットワークデバイス等であってよい）に、本願の実施形態で説明した方法の段階のうち全部または一部を実行させるよう命令するためのいくつかの命令を含む。上述の記憶媒体は、プログラムコードを格納可能な任意の媒体、例えば、ＵＳＢフラッシュドライブ、リムーバブルハードディスク、リードオンリメモリ（ROM, Read-Only Memory）、ランダムアクセスメモリ（RAM, Random Access Memory）、磁気ディスク、または光ディスクを含む。
【０２２４】
上述の説明は、本願の特定の実装に過ぎず、本願の保護範囲を限定する意図はない。本願で開示した技術的範囲内において、当業者が容易に想起する任意の変形例または置換例は、本願の保護範囲に属するものとする。従って、本願の保護範囲は、特許請求の範囲の保護範囲により決まる。
（項目１）
送信されるべきブロードキャストチャネルＰＢＣＨが配置される無線システムフレームのシステムフレーム番号を決定する段階であって、上記ＰＢＣＨは、同期信号バーストセットＳＳ  ｂｕｒｓｔ  ｓｅｔ内に含まれ、上記ＳＳバーストセットの周期は、複数の周期のうちの１つである、段階と、
１つの初期化シードによって生成された擬似ランダムシーケンスを、上記擬似ランダムシーケンスの複数のセグメントに分割し、上記擬似ランダムシーケンスの上記複数のセグメントを用いて、情報ビットをスクランブリングしてトランスポートブロックを取得する段階であって、上記擬似ランダムシーケンスの各セグメントは、一部のビットを暗黙的に示し、上記一部のビットは、上記システムフレーム番号のうちの２番目と３番目の最下位ビットを含む、または、上記一部のビットは、上記システムフレーム番号の最後の３ビットを含む、段階と、
上記ＰＢＣＨが配置される上記無線システムフレームで、上記ＰＢＣＨを用いて上記トランスポートブロックを送信する段階と、を備える、通信方法。
（項目２）
上記一部のビットが、上記システムフレーム番号のうちの上記２番目と３番目の最下位ビットを含む場合、上記擬似ランダムシーケンスの上記複数のセグメントは、上記擬似ランダムシーケンスの第１のセグメント、上記擬似ランダムシーケンスの第２のセグメント、上記擬似ランダムシーケンスの第３のセグメント、および上記擬似ランダムシーケンスの第１のセグメントを含み、上記擬似ランダムシーケンスの上記第１のセグメントによって暗黙的に示される一部のビットは００であり、上記擬似ランダムシーケンスの上記第２のセグメントによって暗黙的に示される一部のビットは０１であり、上記擬似ランダムシーケンスの上記第３のセグメントによって暗黙的に示される一部のビットは１０であり、および、上記擬似ランダムシーケンスの上記第４のセグメントによって暗黙的に示される一部のビットは１１である、項目１に記載の通信方法。
（項目３）
上記スクランブリングは、上記擬似ランダムシーケンスおよび上記情報ビットに対し、ビットレベルの排他的ＯＲ演算を実行することである、項目１または２に記載の通信方法。
（項目４）
上記通信方法は、さらに、
基地局と端末デバイスにより、プロトコルに従い、スクランブリング処理方式と、上記擬似ランダムシーケンスの各セグメントにより暗黙的に示される上記一部のビットとについて、合意する段階を備える、項目１から３のいずれか一項に記載の通信方法。
（項目５）
上記通信方法は、さらに、
上記無線システムフレームの第１のハーフフレームおよび／または第２のハーフフレームを用いて、上記システムフレーム番号に対応する上記ＰＢＣＨを送信する段階を備える、項目１から４のいずれか一項に記載の通信方法。
（項目６）
上記通信方法は、さらに、
異なるＤＭＲＳシーケンスを用いて、上記無線システムフレームのハーフフレーム情報を示す段階を備える、項目５に記載の通信方法。
（項目７）
上記情報ビットは、マスタ情報ブロックＭＩＢ内の情報ビットである、項目１から６のいずれか一項に記載の通信方法。
（項目８）
ネットワークデバイスによって、ブロードキャストチャネルＰＢＣＨを用いて送信されたトランスポートブロックを取得する段階であって、上記ＰＢＣＨは、同期信号バーストセットＳＳ  ｂｕｒｓｔ  ｓｅｔ内に含まれ、上記ＳＳバーストセットの周期は、複数の周期のうちの１つである、段階と、
デスクランブリング方式で上記トランスポートブロックを処理して、情報ビットを取得する段階であって、上記情報ビットは、上記ＰＢＣＨが配置される無線システムフレームのシステムフレーム番号のうちの一部のビット以外の残りのビットを含み、上記一部のビットは、上記システムフレーム番号のうちの２番目と３番目の最下位ビットを含む、または、上記一部のビットは、上記システムフレーム番号のうちの最後の３ビットを含む、段階と、を備える、通信方法。
（項目９）
上記通信方法は、さらに、擬似ランダムシーケンスを用いて、デスクランブリングを実行する段階を備える、項目８に記載の通信方法。
（項目１０）
上記通信方法は、さらに、
上記一部のビットおよび上記残りのビットに基づき、上記ＰＢＣＨが配置される上記無線システムフレームの上記システムフレーム番号を決定する段階を備える、項目８または９に記載の通信方法。
（項目１１）
上記通信方法は、さらに、
上記無線システムフレームの第１のハーフフレームおよび／または第２のハーフフレームを用いて、上記システムフレーム番号に対応する上記ＰＢＣＨを受信する段階を備える、項目８から１０のいずれか一項に記載の通信方法。
（項目１２）
上記通信方法は、さらに、
異なるＤＭＲＳシーケンスを用いて、上記無線システムフレームのハーフフレーム情報を決定する段階を備える、項目１１に記載の通信方法。
（項目１３）
送信されるべき第１のブロードキャストチャネルＰＢＣＨが配置される無線システムフレームのシステムフレーム番号を決定する段階であって、上記第１のＰＢＣＨは、第１の同期信号バーストセットＳＳ  ｂｕｒｓｔ  ｓｅｔ内に含まれ、上記第１のＳＳバーストセットの周期は、複数の周期のうちの任意の１つである、段階と、
第１の処理方式で、第１のマスタ情報ブロックＭＩＢを処理して、第１のトランスポートブロックを取得する段階であって、上記第１の処理方式は、上記第１のＰＢＣＨが配置される上記無線システムフレームの上記システムフレーム番号のうちの一部のビットを暗黙的に示し、上記第１のＭＩＢは、上記第１のＰＢＣＨが配置される上記無線システムフレームの上記システムフレーム番号のうちの上記一部のビット以外の残りのビットを含む、段階と、
上記第１のＰＢＣＨが配置される上記無線システムフレームで、上記第１のＰＢＣＨを用いて上記第１のトランスポートブロックを送信する段階と、を備える、通信方法。
（項目１４）
上記第１の処理方式がスクランブリングである場合、１つの初期化シードによって生成される擬似ランダムシーケンスが、複数のセグメントに分割され、上記残りのビットは、上記擬似ランダムシーケンスの上記複数のセグメントを用いてスクランブリングされる、項目１３に記載の通信方法。
（項目１５）
上記擬似ランダムシーケンスの上記複数のセグメントは、上記擬似ランダムシーケンスの第１のセグメント、上記擬似ランダムシーケンスの第２のセグメント、上記擬似ランダムシーケンスの第３のセグメントおよび上記擬似ランダムシーケンスの第１のセグメントを含み、
上記擬似ランダムシーケンスの上記第１のセグメントによって暗黙的に示される一部のビットは００であり、上記擬似ランダムシーケンスの上記第２のセグメントによって暗黙的に示される一部のビットは０１であり、上記擬似ランダムシーケンスの上記第３のセグメントによって暗黙的に示される一部のビットは１０であり、上記擬似ランダムシーケンスの上記第４のセグメントによって暗黙的に示される一部のビットは１１である、項目１３または１４に記載の通信方法。
（項目１６）
上記通信方法は、さらに、
上記無線システムフレームの第１のハーフフレームおよび／または第２のハーフフレームを用いて、上記システムフレーム番号に対応する上記ＰＢＣＨを送信する段階を備える、項目１３から１５のいずれか一項に記載の通信方法。
（項目１７）
上記無線システムフレームの第１のハーフフレームおよび／または第２のハーフフレームを用いて、上記システムフレーム番号に対応する上記ＰＢＣＨを送信する上記段階は、
上記ＳＳバーストセットの上記周期は、上記ＳＳバーストセットが配置される上記無線システムフレームの長さの半分である場合、上記無線システムフレームの上記第１のハーフフレームおよび上記第２のハーフフレームを用いて、上記システムフレーム番号に対応する上記ＰＢＣＨを送信する段階を含む、項目１６に記載の通信方法。
（項目１８）
上記ＭＩＢは、上記ＰＢＣＨが配置される上記無線システムフレームの上記システムフレーム番号のうちの上記残りのビットを含み、
上記残りのビットは、上記無線システムフレームの上記システムフレーム番号のうちの２番目と３番目の最下位ビット以外のビットである、または、上記残りのビットは、上記無線システムフレームの上記システムフレーム番号のうちの最後の３ビット以外のビットである、項目１３から１７のいずれか一項に記載の通信方法。
（項目１９）
上記トランスポートブロックは、１ビットの指示情報を含み、上記指示情報は、上記無線システムフレームのハーフフレーム情報を示すために用いられる、項目１６から１８のいずれか一項に記載の通信方法。
（項目２０）
上記通信方法は、さらに、
異なるＤＭＲＳシーケンスを用いて、上記無線システムフレームのハーフフレーム情報を示す段階を備える、項目１６から１８のいずれか一項に記載の通信方法。
（項目２１）
上記ハーフフレーム情報は、上記ＰＢＣＨが上記無線システムフレームの上記第１のハーフフレームを用いて送信されることを示す、または、上記ハーフフレーム情報は、上記ＰＢＣＨが上記無線システムフレームの上記第２のハーフフレームを用いて送信されることを示す、項目１９または２０に記載の通信方法。
（項目２２）
上記無線システムフレームの２番目と３番目の最下位ビットを用いて上記残りのビットをスクランブリングする段階、または
上記無線システムフレームの１番目の最下位ビットおよび上記２番目と３番目の最下位ビットを用いて上記残りのビットをスクランブリングする段階を備える、項目１３から２１のいずれか一項に記載の通信方法。
（項目２３）
上記通信方法は、さらに、
異なるスクランブリング方式で、異なるＰＢＣＨのＭＩＢをスクランブリングして、異なるトランスポートブロックを取得する段階を備える、項目１３から２２のいずれか一項に記載の通信方法。
（項目２４）
上記第１のＰＢＣＨは、第１の送信時間間隔ＴＴＩで送信され、上記第１のＳＳバーストセットの上記周期は、上記第１のＴＴＩにおける上記複数の周期のうちの第１の周期であり、上記通信方法は、さらに、
第２のＴＴＩにおいて、送信されるべき第２のＰＢＣＨが配置される無線システムフレームのシステムフレーム番号を決定する段階であって、上記第２のＰＢＣＨは、第２のＳＳバーストセット内に含まれ、上記第２のＳＳバーストセットの周期は、上記複数の周期のうちの第２の周期である、段階と、
上記第１の処理方式で第２のＭＩＢを処理して、第２のトランスポートブロックを取得する段階であって、上記第１の処理方式は、上記第２のＰＢＣＨが配置される上記無線システムフレームの上記システムフレーム番号のうちの一部のビットを暗黙的に示し、上記第２のＭＩＢは、上記第２のＰＢＣＨが配置される上記無線システムフレームの上記システムフレーム番号のうちの上記一部のビット以外の残りのビットを含む、段階と、
上記第２のＰＢＣＨが配置される上記無線システムフレームで、上記第２のＰＢＣＨを用いて、上記第２のトランスポートブロックを送信する段階と、を備える、項目１３に記載の通信方法。
（項目２５）
上記第１の処理方式は、巡回冗長検査ＣＲＣ、巡回シフトおよびスクランブリングのうちの少なくとも１つを含む、項目１３に記載の通信方法。
（項目２６）
ネットワークデバイスによって、ブロードキャストチャネルＰＢＣＨを用いて送信されたトランスポートブロックを取得する段階であって、上記ＰＢＣＨは同期信号バーストセットＳＳ  ｂｕｒｓｔ  ｓｅｔ内に含まれ、上記ＳＳバーストセットの周期は、複数の周期のうちのいずれか１つである、段階と、
処理方式で上記トランスポートブロックを処理して、マスタ情報ブロックＭＩＢを取得し、且つ、上記処理方式で、上記ＰＢＣＨが配置される無線システムフレームのシステムフレーム番号のうちの一部のビットの位置および上記一部のビットの位置におけるビットを取得する段階であって、上記ＭＩＢは上記ＰＢＣＨが配置される上記無線システムフレームの上記システムフレーム番号のうちの上記一部のビット以外の残りのビットを含む、段階と、
上記一部のビットおよび上記残りのビットに基づき、上記ＰＢＣＨが配置される上記無線システムフレームの上記システムフレーム番号を決定する段階と、を備える、通信方法。
（項目２７）
上記処理方式がデスクランブリングである場合、１つの初期化シードによって生成される擬似ランダムシーケンスは、複数のセグメントに分割され、上記残りのビットは、上記擬似ランダムシーケンスの上記複数のセグメントを用いてデスクランブリングされる、項目２６に記載の通信方法。
（項目２８）
上記通信方法は、さらに、上記無線システムフレームの第１のハーフフレームおよび／または第２のハーフフレームを用いて、上記システムフレーム番号に対応する上記ＰＢＣＨを受信する段階を備える、項目２６または２７に記載の通信方法。
（項目２９）
上記無線システムフレームの第１のハーフフレームおよび／または第２のハーフフレームを用いて、上記システムフレーム番号に対応する上記ＰＢＣＨを受信する上記段階は、
上記ＳＳバーストセットの上記周期が、上記ＳＳバーストセットが配置される上記無線システムフレームの長さの半分である場合、上記無線システムフレームの上記第１のハーフフレームおよび／または上記第２のハーフフレームを用いて、上記システムフレーム番号に対応する上記ＰＢＣＨを受信する段階を含む、項目２８に記載の通信方法。
（項目３０）
上記ＭＩＢは、上記ＰＢＣＨが配置される上記無線システムフレームの上記システムフレーム番号のうちの上記残りのビットを含み、上記残りのビットは、上記無線システムフレームの上記システムフレーム番号のうちの２番目と３番目の最下位ビット以外のビットである、または上記残りのビットは、上記無線システムフレームの上記システムフレーム番号のうちの最後の３ビット以外のビットである、項目２６から２９のいずれか一項に記載の通信方法。
（項目３１）
上記トランスポートブロックは、１ビットの指示情報を含み、上記無線システムフレームのハーフフレーム情報は、上記指示情報に基づき決定される、項目２８から３０のいずれか一項に記載の通信方法。
（項目３２）
上記通信方法は、さらに、
異なるＤＭＲＳシーケンスを用いて、上記無線システムフレームのハーフフレーム情報を決定する段階を備える、項目２８から３０のいずれか一項に記載の通信方法。
（項目３３）
上記ハーフフレーム情報は、上記ＰＢＣＨが上記無線システムフレームの上記第１のハーフフレームを用いて送信されることを示す、または、上記ハーフフレーム情報は、上記ＰＢＣＨが上記無線システムフレームの上記第２のハーフフレームを用いて送信されることを示す、項目３１または３２に記載の通信方法。
（項目３４）
上記処理方式は、巡回冗長検査ＣＲＣ、巡回シフトおよびデスクランブリングのうちの少なくとも１つを含む、項目２６に記載の通信方法。
（項目３５）
送信されるべきブロードキャストチャネルＰＢＣＨが配置される無線システムフレームのシステムフレーム番号を決定するよう構成された決定ユニットであって、上記ＰＢＣＨは同期信号バーストセットＳＳ  ｂｕｒｓｔ  ｓｅｔ内に含まれ、上記ＳＳバーストセットの周期は複数の周期のうちの１つである、決定ユニットと、
１つの初期化シードによって生成される擬似ランダムシーケンスを、上記擬似ランダムシーケンスの複数のセグメントに分割し、上記擬似ランダムシーケンスの上記複数のセグメントを用いて、情報ビットをスクランブリングして、トランスポートブロックを取得するよう構成された処理ユニットであって、上記擬似ランダムシーケンスの各セグメントは、暗黙的に一部のビットを示し、上記一部のビットは、上記システムフレーム番号のうちの２番目と３番目の最下位ビットを含む、または、上記一部のビットは、上記システムフレーム番号のうちの最後の３ビットを含む、処理ユニットと、
上記ＰＢＣＨが配置される上記無線システムフレームで、上記ＰＢＣＨを用いて上記トランスポートブロックを送信するよう構成された送信ユニットと、を備える、データ送信のための通信装置。
（項目３６）
上記一部のビットが、上記システムフレーム番号のうちの上記２番目と３番目の最下位ビットを含む場合、上記擬似ランダムシーケンスの上記複数のセグメントは、上記擬似ランダムシーケンスの第１のセグメント、上記擬似ランダムシーケンスの第２のセグメント、上記擬似ランダムシーケンスの第３のセグメントおよび上記擬似ランダムシーケンスの第１のセグメントを含み、上記擬似ランダムシーケンスの上記第１のセグメントによって暗黙的に示される一部のビットは００であり、上記擬似ランダムシーケンスの上記第２のセグメントによって暗黙的に示される一部のビットは０１であり、上記擬似ランダムシーケンスの上記第３のセグメントによって暗黙的に示される一部のビットは１０であり、上記擬似ランダムシーケンスの上記第４のセグメントによって暗黙的に示される一部のビットは１１である、項目３５に記載の通信装置。
（項目３７）
上記処理ユニットが、上記擬似ランダムシーケンスの上記複数のセグメントを用いて、情報ビットをスクランブリングすることは、上記処理ユニットが、上記擬似ランダムシーケンスおよび上記情報ビットに、ビットレベルの排他的ＯＲ演算を実行することを含む、項目３５または３６に記載の通信装置。
（項目３８）
上記通信装置および端末デバイスは、プロトコルに従い、スクランブリング処理方式、および上記擬似ランダムシーケンスの各セグメントにより暗黙的に示される上記一部のビットについて合意する、項目３５から３７のいずれか一項に記載の通信装置。
（項目３９）
上記送信ユニットは、さらに、無線システムフレームの第１のハーフフレームおよび／または第２のハーフフレームを用いて、上記システムフレーム番号に対応する上記ＰＢＣＨを送信するよう構成されている、項目３５から３８のいずれか一項に記載の通信装置。
（項目４０）
上記処理ユニットは、さらに、異なるＤＭＲＳシーケンスを用いて、上記無線システムフレームのハーフフレーム情報を示すよう構成されている、項目３９に記載の通信装置。
（項目４１）
上記情報ビットは、マスタ情報ブロックＭＩＢ内の情報ビットである、項目３５から４０のいずれか一項に記載の通信装置。
（項目４２）
ネットワークデバイスによって、ブロードキャストチャネルＰＢＣＨを用いて送信されたトランスポートブロックを取得するよう構成された取得ユニットであって、上記ＰＢＣＨは、同期信号バーストセットＳＳ  ｂｕｒｓｔ  ｓｅｔ内に含まれ、上記ＳＳバーストセットの周期は、複数の周期のうちの１つである、取得ユニットと、
デスクランブリング方式で上記トランスポートブロックを処理して、情報ビットを取得するよう構成された処理ユニットであって、上記情報ビットは、上記ＰＢＣＨが配置される無線システムフレームのシステムフレーム番号のうちの一部のビット以外の残りのビットを含み、上記一部のビットは、上記システムフレーム番号のうちの２番目と３番目の最下位ビットを含む、または、上記一部のビットは、上記システムフレーム番号のうちの最後の３ビットを含む、処理ユニットと、を備える、データ送信のための通信装置。
（項目４３）
上記処理ユニットは、擬似ランダムシーケンスを用いて、デスクランブリングを実行する、項目４２に記載の通信装置。
（項目４４）
上記通信装置は、さらに、
上記一部のビットおよび上記残りのビットに基づき、上記ＰＢＣＨが配置される上記無線システムフレームの上記システムフレーム番号を決定するよう構成された決定ユニットを備える、項目４２または４３に記載の通信装置。
（項目４５）
上記通信装置は、さらに、
上記無線システムフレームの第１のハーフフレームおよび／または第２のハーフフレームを用いて、上記システムフレーム番号に対応する上記ＰＢＣＨを受信するよう構成された受信ユニットを備える、項目４２から４４のいずれか一項に記載の通信装置。
（項目４６）
上記決定ユニットは、さらに、異なるＤＭＲＳシーケンスを用いて、上記無線システムフレームのハーフフレーム情報を決定するよう構成されている、項目４５に記載の通信装置。
（項目４７）
送信されるべき第１のブロードキャストチャネルＰＢＣＨが配置される無線システムフレームのシステムフレーム番号を決定するよう構成された決定ユニットであって、上記第１のＰＢＣＨは、第１の同期信号バーストセットＳＳ  ｂｕｒｓｔ  ｓｅｔ内に含まれ、上記第１のＳＳバーストセットの周期は、複数の周期のうちの１つである、決定ユニットと、
第１の処理方式で、第１のマスタ情報ブロックＭＩＢを処理して、第１のトランスポートブロックを取得するよう構成された処理ユニットであって、上記第１の処理方式は、上記決定ユニットによって決定される、上記第１のＰＢＣＨが配置される上記無線システムフレームの上記システムフレーム番号のうちの一部のビットを暗黙的に示し、上記第１のＭＩＢは、上記第１のＰＢＣＨが配置される上記無線システムフレームの上記システムフレーム番号のうちの上記一部のビット以外の残りのビットを含む、処理ユニットと、
上記第１のＰＢＣＨが配置される上記無線システムフレームで、上記第１のＰＢＣＨを用いて、上記処理ユニットによる処理を通して取得された上記第１のトランスポートブロックを送信するよう構成された送信ユニットと、を備える、データ送信のための通信装置。
（項目４８）
上記処理ユニットは、さらに、１つの初期化シードによって生成された擬似ランダムシーケンスを、複数のセグメントに分割する、および、上記擬似ランダムシーケンスの上記複数のセグメントを用いて、上記残りのビットをスクランブリングする、よう構成されている、項目４７に記載の通信装置。
（項目４９）
上記擬似ランダムシーケンスの上記複数のセグメントは、上記擬似ランダムシーケンスの第１のセグメント、上記擬似ランダムシーケンスの第２のセグメント、上記擬似ランダムシーケンスの第３のセグメントおよび上記擬似ランダムシーケンスの第１のセグメントを含み、
上記擬似ランダムシーケンスの上記第１のセグメントによって暗黙的に示される一部のビットは００であり、上記擬似ランダムシーケンスの上記第２のセグメントによって暗黙的に示される一部のビットは０１であり、上記擬似ランダムシーケンスの上記第３のセグメントによって暗黙的に示される一部のビットは１０であり、上記擬似ランダムシーケンスの上記第４のセグメントによって暗黙的に示される一部のビットは１１である、項目４７または４８に記載の通信装置。
（項目５０）
上記送信ユニットは、さらに、上記無線システムフレームの第１のハーフフレームおよび／または第２のハーフフレームを用いて、上記システムフレーム番号に対応する上記ＰＢＣＨを送信するよう構成されている、項目４７から４９のいずれか一項に記載の通信装置。
（項目５１）
上記ＳＳバーストセットの上記周期が、上記ＳＳバーストセットが配置される上記無線システムフレームの長さの半分である場合、上記送信ユニットは、さらに、上記無線システムフレームの上記第１のハーフフレームおよび上記第２のハーフフレームを用いて、上記システムフレーム番号に対応する上記ＰＢＣＨを送信するよう構成されている、項目５０に記載の通信装置。
（項目５２）
上記ＭＩＢは、上記ＰＢＣＨが配置される上記無線システムフレームの上記システムフレーム番号のうちの上記残りのビットを含み、上記残りのビットは、上記無線システムフレームの上記システムフレーム番号のうちの２番目と３番目の最下位ビット以外のビットである、または、上記残りのビットは、上記無線システムフレームの上記システムフレーム番号のうちの最後の３ビット以外のビットである、項目４７から５１のいずれか一項に記載の通信装置。
（項目５３）
上記トランスポートブロックは、１ビットの指示情報を含み、上記指示情報は、上記無線システムフレームのハーフフレーム情報を示すために用いられる、項目５０から５２のいずれか一項に記載の通信装置。
（項目５４）
上記処理ユニットは、さらに、異なるＤＭＲＳシーケンスを用いて、上記無線システムフレームのハーフフレーム情報を示すよう構成されている、項目５０から５２のいずれか一項に記載の通信装置。
（項目５５）
上記ハーフフレーム情報は、上記ＰＢＣＨが上記無線システムフレームの上記第１のハーフフレームを用いて送信されることを示す、または、上記ハーフフレーム情報は、上記ＰＢＣＨが上記無線システムフレームの上記第２のハーフフレームを用いて送信されることを示す、項目５３または５４に記載の通信装置。
（項目５６）
上記処理ユニットは、さらに、上記無線システムフレームの２番目と３番目の最下位ビットを用いて、上記残りのビットをスクランブリングするよう構成されている、または
上記処理ユニットは、さらに、上記無線システムフレームの１番目の最下位ビットおよび上記２番目と３番目の最下位ビットを用いて、上記残りのビットをスクランブリングするよう構成されている、項目４７から５５のいずれか一項に記載の通信装置。
（項目５７）
上記処理ユニットは、さらに、異なるスクランブリング方式で、異なるＰＢＣＨのＭＩＢをスクランブリングして、異なるトランスポートブロックを取得するよう構成されている、項目４７から５６のいずれか一項に記載の通信装置。
（項目５８）
上記第１のＰＢＣＨは、第１の送信時間間隔ＴＴＩで送信され、上記第１のＳＳバーストセットの上記周期は、上記第１のＴＴＩにおける上記複数の周期のうちの第１の周期であり、上記決定ユニットはさらに、第２のＴＴＩにおいて送信されるべき第２のＰＢＣＨが配置される無線システムフレームのシステムフレーム番号を決定するよう構成されており、上記第２のＰＢＣＨは、第２のＳＳバーストセット内に含まれ、上記第２のＳＳバーストセットの周期は、上記複数の周期のうちの第２の周期であり、
上記処理ユニットは、さらに、上記第１の処理方式で第２のＭＩＢを処理して、第２のトランスポートブロックを取得するよう構成されており、上記第１の処理方式は、上記第２のＰＢＣＨが配置される上記無線システムフレームの上記システムフレーム番号のうちの一部のビットを暗黙的に示し、上記第２のＭＩＢは、上記第２のＰＢＣＨが配置される上記無線システムフレームの上記システムフレーム番号のうちの上記一部のビット以外の残りのビットを含み、
上記送信ユニットは、さらに、上記第２のＰＢＣＨが配置される上記無線システムフレームで、上記第２のＰＢＣＨを用いて、上記第２のトランスポートブロックを送信するよう構成されている、項目４７に記載の通信装置。
（項目５９）
上記第１の処理方式は、巡回冗長検査ＣＲＣ、巡回シフトおよびスクランブリングのうちの少なくとも１つを含む、項目４７に記載の通信装置。
（項目６０）
ネットワークデバイスによって、ブロードキャストチャネルＰＢＣＨを用いて送信された第１のトランスポートブロックを取得するよう構成された取得ユニットであって、上記ＰＢＣＨは第１の同期信号バーストセットＳＳ  ｂｕｒｓｔ  ｓｅｔ内に含まれ、上記第１のＳＳバーストセットの周期は、複数の周期のうちの１つである、取得ユニットと、
第１の処理方式で上記取得ユニットによって取得された上記第１のトランスポートブロックを処理して、第１のマスタ情報ブロックＭＩＢを取得し、且つ、上記処理方式で、上記ＰＢＣＨが配置される無線システムフレームのシステムフレーム番号のうちの一部のビットの位置および上記一部のビットの位置におけるビットを取得するよう構成された処理ユニットであって、上記第１のＭＩＢは上記ＰＢＣＨが配置される上記無線システムフレームの上記システムフレーム番号のうちの上記一部のビットの位置における上記ビット以外の残りのビットを含む、処理ユニットと、
上記処理ユニットによる処理を通して取得された上記一部のビットの位置における上記ビットおよび上記残りのビットに基づき、上記第１のＰＢＣＨが配置される上記無線システムフレームの上記システムフレーム番号を決定するよう構成された決定ユニットと、を備える、データ送信のための通信装置。
（項目６１）
上記処理ユニットは、さらに、１つの初期化シードによって生成された擬似ランダムシーケンスを、複数のセグメントに分割する、および、上記擬似ランダムシーケンスの上記複数のセグメントを用いて、上記残りのビットをデスクランブリングする、ように構成されている、項目６０に記載の通信装置。
（項目６２）
上記通信装置は、さらに、上記無線システムフレームの第１のハーフフレームおよび／または第２のハーフフレームを用いて、上記システムフレーム番号に対応する上記ＰＢＣＨを受信するよう構成された受信ユニットを備える、項目６０または６１に記載の通信装置。
（項目６３）
上記ＳＳバーストセットの上記周期が、上記ＳＳバーストセットが配置される上記無線システムフレームの長さの半分である場合、上記受信ユニットは、上記無線システムフレームの上記第１のハーフフレームおよび／または上記第２のハーフフレームを用いて、上記システムフレーム番号に対応する上記ＰＢＣＨを受信する、項目６２に記載の通信装置。
（項目６４）
上記ＭＩＢは、上記ＰＢＣＨが配置される上記無線システムフレームの上記システムフレーム番号のうちの上記残りのビットを含み、上記残りのビットは、上記無線システムフレームの上記システムフレーム番号のうちの２番目と３番目の最下位ビット以外のビットである、または、上記残りのビットは、上記無線システムフレームの上記システムフレーム番号のうちの最後の３ビット以外のビットである、項目６０から６３のいずれか一項に記載の通信装置。
（項目６５）
上記トランスポートブロックは、１ビットの指示情報を含み、上記決定ユニットは、さらに、上記指示情報に基づき、上記無線システムフレームのハーフフレーム情報を決定するよう構成されている、項目６２から６４のいずれか一項に記載の装置。
（項目６６）
上記決定ユニットは、さらに、異なるＤＭＲＳシーケンスを用いて、上記無線システムフレームのハーフフレーム情報を決定するよう構成されている、項目６２から６４のいずれか一項に記載の通信装置。
（項目６７）
上記ハーフフレーム情報は、上記ＰＢＣＨが上記無線システムフレームの上記第１のハーフフレームを用いて送信されることを示す、または、上記ハーフフレーム情報は、上記ＰＢＣＨが上記無線システムフレームの上記第２のハーフフレームを用いて送信されることを示す、項目６５または６６に記載の装置。
（項目６８）
上記第１の処理方式は、巡回冗長検査ＣＲＣ、巡回シフトおよびデスクランブリングのうちの少なくとも１つを含む、項目６０に記載の通信装置。
（項目６９）
メモリおよびプロセッサを備えるデータ送信のための通信装置であって、上記メモリは、命令を格納するよう構成されており、上記プロセッサは、上記メモリ内に格納された上記命令を実行して、上記命令の実行時に、項目１から７のいずれか一項に記載の方法、または、項目１３から２５のいずれか一項に記載の方法を実行するよう構成されている、通信装置。
（項目７０）
メモリおよびプロセッサを備えるデータ送信のための通信装置であって、上記メモリは、命令を格納するよう構成されており、上記プロセッサは、上記メモリ内に格納された上記命令を実行して、上記命令の実行時に、項目８から１２のいずれか一項に記載の方法、または、項目２６から３４のいずれか一項に記載の方法を実行するよう構成されている、通信装置。
（項目７１）
命令を備えるコンピュータ可読記憶媒体であって、上記命令がコンピュータ上で実行されると、上記コンピュータは、項目１から７のいずれか一項に記載の方法、または、項目１３から２５のいずれか一項に記載の方法を実行する、コンピュータ可読記憶媒体。
（項目７２）
命令を備えるコンピュータ可読記憶媒体であって、上記命令がコンピュータ上で実行されると、上記コンピュータは、項目８から１２のいずれか一項に記載の方法、または、項目２６から３４のいずれか一項に記載の方法を実行する、コンピュータ可読記憶媒体。
【図１】
0006903390.tif 000003
【図２】
0006903390.tif 000004
【図３】
0006903390.tif 000005
【図４】
0006903390.tif 000006
【図５】
0006903390.tif 000007
【図６】
0006903390.tif 000008
【図７】
0006903390.tif 000009
【図８】
0006903390.tif 000010
【図９】
0006903390.tif 000011